(57)【特許請求の範囲】
【請求項１】
電力需要施設において用いられる需要家装置であって、
前記電力需要施設における電力消費の抑制内容の複数の候補の一部または全部を示す抑制内容情報を取得する抑制内容情報取得部と、
前記抑制内容情報取得部によって取得された前記抑制内容情報の示す複数の候補の選択結果を示す応答情報を通知する応答情報通知部とを備え、
前記抑制内容情報取得部は、前記複数の候補の一部を示す前記抑制内容情報を取得し、
前記応答情報通知部は、前記抑制内容情報の示す前記一部の候補の選択結果を示す応答情報を通知し、
前記抑制内容情報取得部は、前記応答情報が通知された後、前記応答情報に対応する前記候補を示し、かつ、前記応答情報に対応する前記候補とは異なる前記候補を示す前記抑制内容情報を取得する、需要家装置。
【請求項２】
前記抑制内容情報取得部は、複数の前記候補をまとめて示す抑制内容情報を取得する、請求項１に記載の需要家装置。
【請求項３】
前記抑制内容情報取得部は、前記候補ごとに異なる識別子を含む前記抑制内容情報を取得する、請求項１または請求項２に記載の需要家装置。
【請求項４】
前記抑制内容情報取得部は、前記電力需要施設における電力消費の抑制に対して与えられる対価について、異なる前記対価が与えられる複数の前記候補を示す前記抑制内容情報を取得する、請求項１から請求項３のいずれか１項に記載の需要家装置。
【請求項５】
前記抑制内容情報取得部は、前記電力需要施設における異なる負荷を電力消費の抑制対象とする複数の前記候補を示す前記抑制内容情報を取得する、請求項１から請求項４のいずれか１項に記載の需要家装置。
【請求項６】
電力需要施設における電力消費を管理する電力消費管理装置であって、
前記電力需要施設における電力消費の抑制内容の複数の候補の一部または全部を示す抑制内容情報を作成する抑制内容情報作成部と、
前記抑制内容情報作成部によって作成された前記抑制内容情報を通知する抑制内容情報通知部とを備え、
前記抑制内容情報通知部は、前記複数の候補の一部を示す前記抑制内容情報を通知し、通知した前記抑制内容情報の示す前記一部の候補の選択結果を示す応答情報を受信し、
前記抑制内容情報通知部は、受信した前記応答情報に対応する前記候補を示し、かつ、受信した前記応答情報に対応する前記候補とは異なる前記候補を示す前記抑制内容情報を通知する、電力消費管理装置。
【請求項７】
電力需要施設における電力消費を管理する電力消費管理装置と、
前記電力需要施設において用いられる需要家装置とを備え、
前記電力消費管理装置は、前記電力需要施設における電力消費の抑制内容の複数の候補の一部を示す抑制内容情報を前記需要家装置へ送信し、
前記需要家装置は、前記抑制内容情報を前記電力消費管理装置から受信し、受信した前記抑制内容情報の示す前記一部の候補の選択結果を示す応答情報を前記電力消費管理装置へ送信し、
前記電力消費管理装置は、受信した前記応答情報に対応する前記候補を示し、かつ、受信した前記応答情報に対応する前記候補とは異なる前記候補を示す抑制内容情報を前記需要家装置へ送信する、電力消費管理システム。
【請求項８】
電力需要施設において用いられる需要家装置における電力消費管理方法であって、
前記電力需要施設における電力消費の抑制内容の複数の候補の一部を示す抑制内容情報を取得するステップと、
取得した前記抑制内容情報の示す前記一部の候補の選択結果を示す応答情報を通知するステップとを含み、
前記電力消費管理方法は、さらに、
通知した前記応答情報に対応する前記候補を示し、かつ、通知した前記応答情報に対応する前記候補とは異なる前記候補を示す抑制内容情報を取得するステップを含む、電力消費管理方法。
【請求項９】
電力需要施設における電力消費を管理する電力消費管理装置における電力消費管理方法であって、
前記電力需要施設における電力消費の抑制内容の複数の候補の一部を示す抑制内容情報を作成するステップと、
作成した前記抑制内容情報を通知するステップとを含み、
前記電力消費管理方法は、さらに、
通知した前記抑制内容情報の示す前記一部の候補の選択結果を示す応答情報を受信するステップと、
受信した前記応答情報に対応する前記候補を示し、かつ、受信した前記応答情報に対応する前記候補とは異なる前記候補を示す抑制内容情報を通知するステップとを含む、電力消費管理方法。
【請求項１０】
電力需要施設における電力消費を管理する電力消費管理装置と、
前記電力需要施設において用いられる需要家装置とを備える電力消費管理システムにおける電力消費管理方法であって、
前記電力消費管理装置が、前記電力需要施設における電力消費の抑制内容の複数の候補の一部を示す抑制内容情報を前記需要家装置へ送信するステップと、
前記需要家装置が、前記抑制内容情報を前記電力消費管理装置から受信し、受信した前記抑制内容情報の示す前記一部の候補の選択結果を示す応答情報を前記電力消費管理装置へ送信するステップとを含み、
前記電力消費管理方法は、さらに、
前記電力消費管理装置が、受信した前記応答情報に対応する前記候補を示し、かつ、受信した前記応答情報に対応する前記候補とは異なる前記候補を示す抑制内容情報を前記需要家装置へ送信するステップを含む、電力消費管理方法。
【請求項１１】
電力需要施設において用いられる需要家装置において用いられる電力消費管理プログラムであって、
コンピュータに、
前記電力需要施設における電力消費の抑制内容の複数の候補の一部を示す抑制内容情報を取得するステップと、
取得した前記抑制内容情報の示す前記一部の候補の選択結果を示す応答情報を通知するステップとを実行させるためのプログラムであり、さらに、
コンピュータに、
通知した前記応答情報に対応する前記候補を示し、かつ、通知した前記応答情報に対応する前記候補とは異なる前記候補を示す抑制内容情報を取得するステップを実行させるための、電力消費管理プログラム。
【請求項１２】
電力需要施設における電力消費を管理する電力消費管理装置において用いられる電力消費管理プログラムであって、
コンピュータに、
前記電力需要施設における電力消費の抑制内容の複数の候補の一部を示す抑制内容情報を作成するステップと、
作成した前記抑制内容情報を通知するステップとを実行させるためのプログラムであり、さらに、
コンピュータに、
通知した前記抑制内容情報の示す前記一部の候補の選択結果を示す応答情報を受信するステップと、
受信した前記応答情報に対応する前記候補を示し、かつ、受信した前記応答情報に対応する前記候補とは異なる前記候補を示す抑制内容情報を通知するステップとを実行させるための、電力消費管理プログラム。
【請求項１３】
端末装置において用いられる電力消費管理プログラムであって、
コンピュータに、
電力需要施設における電力消費の抑制内容の複数の候補の一部を示す画面の情報を取得するステップと、
取得した前記情報を用いて画面を表示するステップとを実行させるためのプログラムであり、さらに、
コンピュータに、
前記一部の候補の選択結果を示す選択結果情報を送信するステップと、
送信した前記選択結果情報に対応する前記候補を示し、かつ、送信した前記選択結果情報に対応する前記候補とは異なる前記候補を示す画面の情報を取得するステップとを実行させるための、電力消費管理プログラム。
【発明の詳細な説明】
【技術分野】
【０００１】
本発明は、需要家装置、電力消費管理装置、電力消費管理システム、電力消費管理方法および電力消費管理プログラムに関し、特に、電力需要施設における電力消費を抑制する需要家装置、電力消費管理装置、電力消費管理システム、電力消費管理方法および電力消費管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、家庭またはビル等の電力需要施設へのエネルギーマネジメントシステムｘＥＭＳ（Ｅｎｅｒｇｙ  Ｍａｎａｇｅｍｅｎｔ  Ｓｙｓｔｅｍ）の導入が行われている。
【０００５】
ｘＥＭＳとは、電力需要施設における消費電力量を監視し、電力需要施設における機器または設備等の運転状態を管理することによって、電力需要施設における電力消費の抑制を図るためのシステムである。ｘＥＭＳは、家庭向けである場合、ＨＥＭＳ（Ｈｏｍｅ  Ｅｎｅｒｇｙ  Ｍａｎａｇｅｍｅｎｔ  Ｓｙｓｔｅｍ）となり、ビル向けである場合、ＢＥＭＳ（Ｂｕｉｌｄｉｎｇ  Ｅｎｅｒｇｙ  Ｍａｎａｇｅｍｅｎｔ  Ｓｙｓｔｅｍ）となる。
【０００６】
ｘＥＭＳは、たとえばアグリゲータと呼ばれる事業者と連携することによって電力需要の抑制を実現する。アグリゲータは、ｘＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特開２０１３−１６１１４４号公報
【発明の概要】
【発明が解決しようとする課題】
【０００８】
電力会社および系統運用会社等の系統側事業者は、多くの電力需要施設にｘＥＭＳが導入されることにより、全体的な電力需要を広範囲に調整することが容易となる。
【０００９】
たとえば、系統側事業者は、電力需給の逼迫が予測される場合に、アグリゲータに対して予め節電要請を行なう。そして、アグリゲータは、電力需要施設の需要家に対して節電要請を行なう。
【００１０】
しかしながら、アグリゲータが節電要請を行っても、節電要請の対象期間において当該節電要請に従って電力消費を抑制することが需要家にとって都合が悪い場合もあり、このような場合、節電要請に対する需要家の参加率が低くなる。需要家の参加率が低くなると、十分な節電が行われなくなり、電力需給が逼迫してしまうことがある。
【００１１】
この発明は、上述の課題を解決するためになされたもので、その目的は、節電要請に対する需要家の参加率をより高めることが可能な需要家装置、電力消費管理装置、電力消費管理システム、電力消費管理方法および電力消費管理プログラムを提供することである。
【課題を解決するための手段】
【００１２】
（１）上記課題を解決するために、この発明のある局面に係わる需要家装置は、電力需要施設において用いられる需要家装置であって、上記電力需要施設における電力消費の抑制内容の複数の候補を示す抑制内容情報を取得する抑制内容情報取得部と、上記抑制内容情報取得部によって取得された上記抑制内容情報の示す複数の候補の選択結果を示す応答情報を通知する応答情報通知部とを備える。
【００１３】
（７）上記課題を解決するために、この発明のある局面に係わる電力消費管理装置は、電力需要施設における電力消費を管理する電力消費管理装置であって、上記電力需要施設における電力消費の抑制内容の複数の候補を示す抑制内容情報を作成する抑制内容情報作成部と、上記抑制内容情報作成部によって作成された上記抑制内容情報を通知する抑制内容情報通知部とを備える。
【００１４】
（８）上記課題を解決するために、この発明のある局面に係わる電力消費管理システムは、電力需要施設における電力消費を管理する電力消費管理装置と、上記電力需要施設において用いられる需要家装置とを備え、上記電力消費管理装置は、上記電力需要施設における電力消費の抑制内容の複数の候補を示す抑制内容情報を上記需要家装置へ送信し、上記需要家装置は、上記抑制内容情報を上記電力消費管理装置から受信し、受信した上記抑制内容情報の示す複数の候補の選択結果を示す応答情報を上記電力消費管理装置へ送信する。
【００１５】
（９）上記課題を解決するために、この発明のある局面に係わる電力消費管理方法は、電力需要施設において用いられる需要家装置における電力消費管理方法であって、上記電力需要施設における電力消費の抑制内容の複数の候補を示す抑制内容情報を取得するステップと、取得した上記抑制内容情報の示す複数の候補の選択結果を示す応答情報を通知するステップとを含む。
【００１６】
（１０）上記課題を解決するために、この発明のある局面に係わる電力消費管理方法は、電力需要施設における電力消費を管理する電力消費管理装置における電力消費管理方法であって、上記電力需要施設における電力消費の抑制内容の複数の候補を示す抑制内容情報を作成するステップと、作成した上記抑制内容情報を通知するステップとを含む。
【００１７】
（１１）上記課題を解決するために、この発明のある局面に係わる電力消費管理方法は、電力需要施設における電力消費を管理する電力消費管理装置と、上記電力需要施設において用いられる需要家装置とを備える電力消費管理システムにおける電力消費管理方法であって、上記電力消費管理装置が、上記電力需要施設における電力消費の抑制内容の複数の候補を示す抑制内容情報を上記需要家装置へ送信するステップと、上記需要家装置が、上記抑制内容情報を上記電力消費管理装置から受信し、受信した上記抑制内容情報の示す複数の候補の選択結果を示す応答情報を上記電力消費管理装置へ送信するステップとを含む。
【００１８】
（１２）上記課題を解決するために、この発明のある局面に係わる電力消費管理プログラムは、電力需要施設において用いられる需要家装置において用いられる電力消費管理プログラムであって、コンピュータに、上記電力需要施設における電力消費の抑制内容の複数の候補を示す抑制内容情報を取得するステップと、取得した上記抑制内容情報の示す複数の候補の選択結果を示す応答情報を通知するステップとを実行させるためのプログラムである。
【００１９】
（１３）上記課題を解決するために、この発明のある局面に係わる電力消費管理プログラムは、電力需要施設における電力消費を管理する電力消費管理装置において用いられる電力消費管理プログラムであって、コンピュータに、上記電力需要施設における電力消費の抑制内容の複数の候補を示す抑制内容情報を作成するステップと、作成した上記抑制内容情報を通知するステップとを実行させるためのプログラムである。
【００２０】
（１４）上記課題を解決するために、この発明のある局面に係わる電力消費管理プログラムは、端末装置において用いられる電力消費管理プログラムであって、コンピュータに、電力需要施設における電力消費の抑制内容の複数の候補を示す画面の情報を取得するステップと、取得した上記情報を用いて画面を表示するステップとを実行させるためのプログラムである。
【００２１】
本発明は、このような特徴的な処理部を備える需要家装置として実現できるだけでなく、需要家装置の一部または全部を実現する半導体集積回路として実現することができる。
【００２２】
また、本発明は、このような特徴的な処理部を備える電力消費管理装置として実現できるだけでなく、電力消費管理装置の一部または全部を実現する半導体集積回路として実現することができる。
【００２３】
また、本発明は、このような特徴的な処理部を備える電力消費管理システムとして実現できるだけでなく、電力消費管理システムの一部または全部を実現する半導体集積回路として実現することができる。
【発明の効果】
【００２４】
本発明によれば、節電要請に対する需要家の参加率をより高めることができる。
【図面の簡単な説明】
【００２５】
【図１】図１は、本発明の第１の実施の形態に係る電力消費管理システムの構成を示す図である。
【図２】図２は、本発明の第１の実施の形態に係る電力消費管理システムの適用例を示す図である。
【図３】図３は、本発明の第１の実施の形態に係る電力消費管理システムにおける電力消費管理装置の構成を示す図である。
【図４】図４は、本発明の第１の実施の形態に係る電力消費管理装置における最適化部が算出する、各需要家に与えるべき消費抑制内容の候補の一例を示す図である。
【図５】図５は、本発明の第１の実施の形態に係る電力消費管理装置における効果情報作成部が作成する、各需要家に与えるべき消費抑制内容の候補に対応する効果情報の一例を示す図である。
【図６】図６は、本発明の第１の実施の形態に係る電力消費管理装置における候補情報作成部が作成する候補情報の一例を示す図である。
【図７】図７は、本発明の第１の実施の形態に係る電力消費管理システムにおける需要家装置の構成を示す図である。
【図８】図８は、本発明の第１の実施の形態に係る電力消費管理システムにおける端末装置の構成を示す図である。
【図９】図９は、本発明の第１の実施の形態に係る電力消費管理システムの端末装置において表示される画面の一例を示す図である。
【図１０】図１０は、本発明の第１の実施の形態に係る各電力需要施設における消費電力の一例を示す図である。
【図１１】図１１は、本発明の第１の実施の形態に係る電力消費管理システムにおける電力消費抑制処理のシーケンスの一例を示す図である。
【図１２】図１２は、本発明の第１の実施の形態に係る電力消費管理システムにおける候補選択処理のシーケンスの一例を示す図である。
【図１３】図１３は、本発明の第１の実施の形態に係る電力消費管理システムにおける候補画面情報の取得処理のシーケンスの一例を示す図である。
【図１４】図１４は、本発明の第１の実施の形態に係る電力消費管理システムの端末装置において表示される画面の一例を示す図である。
【図１５】図１５は、本発明の第２の実施の形態に係る電力消費管理システムにおける電力消費管理装置の構成を示す図である。
【図１６】図１６は、本発明の第２の実施の形態に係る電力消費管理システムにおける需要家装置の構成を示す図である。
【図１７】図１７は、本発明の第２の実施の形態に係る電力消費管理装置における候補情報作成部が作成する候補情報の一例を示す図である。
【図１８】図１８は、本発明の第２の実施の形態に係る電力消費管理システムの端末装置において表示される画面の一例を示す図である。
【図１９】図１９は、本発明の第２の実施の形態に係る電力消費管理システムにおける候補選択処理のシーケンスの一例を示す図である。
【図２０】図２０は、本発明の第３の実施の形態に係る電力消費管理システムにおける電力消費管理装置の構成を示す図である。
【図２１】図２１は、本発明の第３の実施の形態に係る電力消費管理システムにおける需要家装置の構成を示す図である。
【図２２】図２２は、本発明の第３の実施の形態に係る電力消費管理システムにおける候補選択処理のシーケンスの一例を示す図である。
【発明を実施するための形態】
【００２６】
最初に、本発明の実施形態の内容を列記して説明する。
【００２７】
（１）本発明の実施の形態に係る需要家装置は、電力需要施設において用いられる需要家装置であって、上記電力需要施設における電力消費の抑制内容の複数の候補を示す抑制内容情報を取得する抑制内容情報取得部と、上記抑制内容情報取得部によって取得された上記抑制内容情報の示す複数の候補の選択結果を示す応答情報を通知する応答情報通知部とを備える。
【００２８】
このような構成により、需要家は、都合のよい電力消費の抑制内容を複数の候補の中から選択することができるので、需要家の節電への参加を促進することができる。これにより、節電要請に対する需要家の参加率をより高めることができるので、電力需給が逼迫してしまう状況を回避することができる。
【００２９】
（２）好ましくは、上記抑制内容情報取得部は、複数の上記候補をまとめて示す抑制内容情報を取得する。
【００３０】
このような構成により、たとえば、選択しなかった候補を再度受信して選択することができないシステムにおいても、複数の候補を一度に取得して需要家にとって都合のよい電力消費の抑制内容を選択することができるので、需要家の節電への参加をより促進することができる。
【００３１】
（３）好ましくは、上記抑制内容情報取得部は、上記複数の候補の一部を示す抑制内容情報を取得し、上記応答情報通知部は、上記抑制内容情報の示す上記一部の候補の選択結果を示す応答情報を通知し、上記抑制内容情報取得部は、上記応答情報が通知された後、上記応答情報に対応する上記候補とは異なる上記候補を少なくとも示す上記抑制内容情報を取得する。
【００３２】
このような構成により、前回取得された候補に新たな候補を加えた情報を取得することができるため、たとえば、選択しなかった候補を再度受信して選択することができないシステムにおいても、新たな候補を含む複数の候補を取得して需要家にとって都合のよい電力消費の抑制内容を選択することができる。これにより、需要家の節電への参加をより促進することができる。
【００３３】
（４）好ましくは、上記抑制内容情報取得部は、上記候補ごとに異なる識別子を含む上記抑制内容情報を取得する。
【００３４】
このような構成により、複数の候補のうち、同じ抑制内容の候補であるか、または異なる抑制内容の候補であるかを簡易な処理で判別することができる。
【００３５】
（５）好ましくは、上記抑制内容情報取得部は、上記電力需要施設における電力消費の抑制に対して与えられる対価について、異なる上記対価が与えられる複数の上記候補を示す上記抑制内容情報を取得する。
【００３６】
このような構成により、受信した複数の候補の中から、都合のよい電力消費の抑制内容を対価の観点から選択することができる。
【００３７】
（６）好ましくは、上記抑制内容情報取得部は、上記電力需要施設における異なる負荷を電力消費の抑制対象とする複数の上記候補を示す上記抑制内容情報を取得する。
【００３８】
このような構成により、受信した複数の候補の中から、都合のよい電力消費の抑制内容を負荷の選択の観点から選択することができる。
【００３９】
（７）本発明の実施の形態に係る電力消費管理装置は、電力需要施設における電力消費を管理する電力消費管理装置であって、上記電力需要施設における電力消費の抑制内容の複数の候補を示す抑制内容情報を作成する抑制内容情報作成部と、上記抑制内容情報作成部によって作成された上記抑制内容情報を通知する抑制内容情報通知部とを備える。
【００４０】
このような構成により、電力消費の抑制内容について複数の候補をたとえば需要家装置へ送信することで、需要家は、都合のよい電力消費の抑制内容を当該複数の候補の中から選択することができるので、需要家の節電への参加を促進することができる。これにより、節電要請に対する需要家の参加率をより高めることができるので、電力需給が逼迫してしまう状況を回避することができる。
【００４１】
（８）本発明の実施の形態に係る電力消費管理システムは、電力需要施設における電力消費を管理する電力消費管理装置と、上記電力需要施設において用いられる需要家装置とを備え、上記電力消費管理装置は、上記電力需要施設における電力消費の抑制内容の複数の候補を示す抑制内容情報を上記需要家装置へ送信し、上記需要家装置は、上記抑制内容情報を上記電力消費管理装置から受信し、受信した上記抑制内容情報の示す複数の候補の選択結果を示す応答情報を上記電力消費管理装置へ送信する。
【００４２】
このような構成により、需要家は、都合のよい電力消費の抑制内容を複数の候補の中から選択することができるので、需要家の節電への参加を促進することができる。これにより、節電要請に対する需要家の参加率をより高めることができるので、電力需給が逼迫してしまう状況を回避することができる。
【００４３】
（９）本発明の実施の形態に係る電力消費管理方法は、電力需要施設において用いられる需要家装置における電力消費管理方法であって、上記電力需要施設における電力消費の抑制内容の複数の候補を示す抑制内容情報を取得するステップと、取得した上記抑制内容情報の示す複数の候補の選択結果を示す応答情報を通知するステップとを含む。
【００４４】
このような構成により、需要家は、都合のよい電力消費の抑制内容を複数の候補の中から選択することができるので、需要家の節電への参加を促進することができる。これにより、節電要請に対する需要家の参加率をより高めることができるので、電力需給が逼迫してしまう状況を回避することができる。
【００４５】
（１０）本発明の実施の形態に係る電力消費管理方法は、電力需要施設における電力消費を管理する電力消費管理装置における電力消費管理方法であって、上記電力需要施設における電力消費の抑制内容の複数の候補を示す抑制内容情報を作成するステップと、作成した上記抑制内容情報を通知するステップとを含む。
【００４６】
このような構成により、電力消費の抑制内容について複数の候補をたとえば需要家装置へ送信することで、需要家は、都合のよい電力消費の抑制内容を当該複数の候補の中から選択することができるので、需要家の節電への参加を促進することができる。これにより、節電要請に対する需要家の参加率をより高めることができるので、電力需給が逼迫してしまう状況を回避することができる。
【００４７】
（１１）本発明の実施の形態に係る電力消費管理方法は、電力需要施設における電力消費を管理する電力消費管理装置と、上記電力需要施設において用いられる需要家装置とを備える電力消費管理システムにおける電力消費管理方法であって、上記電力消費管理装置が、上記電力需要施設における電力消費の抑制内容の複数の候補を示す抑制内容情報を上記需要家装置へ送信するステップと、上記需要家装置が、上記抑制内容情報を上記電力消費管理装置から受信し、受信した上記抑制内容情報の示す複数の候補の選択結果を示す応答情報を上記電力消費管理装置へ送信するステップとを含む。
【００４８】
このような構成により、需要家は、都合のよい電力消費の抑制内容を複数の候補の中から選択することができるので、需要家の節電への参加を促進することができる。これにより、節電要請に対する需要家の参加率をより高めることができるので、電力需給が逼迫してしまう状況を回避することができる。
【００４９】
（１２）本発明の実施の形態に係る電力消費管理プログラムは、電力需要施設において用いられる需要家装置において用いられる電力消費管理プログラムであって、コンピュータに、上記電力需要施設における電力消費の抑制内容の複数の候補を示す抑制内容情報を取得するステップと、取得した上記抑制内容情報の示す複数の候補の選択結果を示す応答情報を通知するステップとを実行させるためのプログラムである。
【００５０】
このような構成により、需要家は、都合のよい電力消費の抑制内容を複数の候補の中から選択することができるので、需要家の節電への参加を促進することができる。これにより、節電要請に対する需要家の参加率をより高めることができるので、電力需給が逼迫してしまう状況を回避することができる。
【００５１】
（１３）本発明の実施の形態に係る電力消費管理プログラムは、電力需要施設における電力消費を管理する電力消費管理装置において用いられる電力消費管理プログラムであって、コンピュータに、上記電力需要施設における電力消費の抑制内容の複数の候補を示す抑制内容情報を作成するステップと、作成した上記抑制内容情報を通知するステップとを実行させるためのプログラムである。
【００５２】
このような構成により、電力消費の抑制内容について複数の候補をたとえば需要家装置へ送信することで、需要家は、都合のよい電力消費の抑制内容を当該複数の候補の中から選択することができるので、需要家の節電への参加を促進することができる。これにより、節電要請に対する需要家の参加率をより高めることができるので、電力需給が逼迫してしまう状況を回避することができる。
【００５３】
（１４）本発明の実施の形態に係る電力消費管理プログラムは、端末装置において用いられる電力消費管理プログラムであって、コンピュータに、電力需要施設における電力消費の抑制内容の複数の候補を示す画面の情報を取得するステップと、取得した上記情報を用いて画面を表示するステップとを実行させるためのプログラムである。
【００５４】
このように、電力需要施設における電力消費の抑制内容についての複数の候補を画面に表示する構成により、需要家は、都合のよい電力消費の抑制内容を当該複数の候補の中からたとえば選択することができるので、需要家の節電への参加を促進することができる。これにより、節電要請に対する需要家の参加率をより高めることができるので、電力需給が逼迫してしまう状況を回避することができる。
【００５５】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００５６】
＜第１の実施の形態＞
［構成および基本動作］
図１は、本発明の第１の実施の形態に係る電力消費管理システムの構成を示す図である。
【００５７】
図１を参照して、電力消費管理システム３０１は、系統側管理装置１５１と、電力消費管理装置１０１と、３つの端末装置１７１と、需要家装置２０２Ａ，２０２Ｂ，２０２Ｃと、６つの負荷２０５とを備える。
【００５８】
以下、需要家装置２０２Ａ，２０２Ｂ，２０２Ｃの各々を、需要家装置２０２とも称する。
【００５９】
図１では、３つの需要家装置２０２を代表的に示しているが、さらに多数または少数の需要家装置２０２が設けられてもよい。また、需要家装置２０２に対応して２つの負荷２０５を代表的に示しているが、さらに多数または少数の負荷２０５が需要家装置２０２に対応して設けられてもよい。また、需要家装置２０２に対応して１つの端末装置１７１を代表的に示しているが、さらに多数または少数の端末装置１７１が需要家装置２０２に対応して設けられてもよい。
【００６０】
電力消費管理システム３０１では、たとえば、電力の需給が逼迫する場合、または電力の需給が逼迫するおそれがある場合において、各需要家が消費電力を抑制するための需要応答（ＤＲ：Ｄｅｍａｎｄ  Ｒｅｓｐｏｎｓｅ）を発行することが可能である。
【００６１】
また、電力消費管理システム３０１では、たとえば、需要家が、複数の電力消費の抑制内容（以下、消費抑制内容とも称する。）の中から自己に都合の良い消費抑制内容を選択することが可能なＤＲリコメンデーション機能が実現される。これにより、需要家の負担を軽減させることができ、また節電要請に対する需要家の参加率の向上を図ることができる。
【００６２】
より詳細には、電力消費管理システム３０１における系統側管理装置１５１は、電力系統側である電力会社または系統運用会社等によって運用され、電力消費に関する電力管理情報を電力消費管理装置１０１へ送信する。電力管理情報は、たとえば、電力消費の抑制の対象期間（以下、ＤＲ期間とも称する。）の開始タイミングおよびＤＲ期間の長さ、ならびに電力消費の抑制量ＳＱを含む。なお、電力管理情報には、ＤＲ期間の長さの代わりにＤＲ期間の終了タイミングが含まれていてもよい。
【００６３】
需要家装置２０２は、電力会社から電力の供給を受けるビル、工場または一般家庭等の電力需要施設において用いられる。需要家装置２０２は、電力需要施設ごとに１つ設けられてもよいし、電力需要施設ごとに複数設けられてもよい。電力会社は、たとえば発電事業者または電力小売り事業者である。
【００６４】
需要家装置２０２は、電力需要施設における１または複数の負荷２０５を制御可能である。負荷２０５は、二次電池をエネルギー源とする二次電池式電気自動車およびプラグインハイブリッドカー、ならびに照明、テレビおよび空調装置等の電気機器である。
【００６５】
より詳細には、需要家装置２０２は、電気機器の動作を制御することによって消費電力の削減を図るためのｘＥＭＳにおいて用いられる装置であり、たとえばアグリゲータによって導入される。
【００６６】
電力消費管理装置１０１は、たとえばアグリゲータによって運用され、１または複数の需要家装置２０２と通信を行なうことにより、１または複数の電力需要施設における電力消費を管理する。電力消費管理装置１０１は、たとえば、需要家装置２０２が設けられる電力需要施設から遠隔の場所に設置されることが多い。
【００６７】
たとえば、電力消費管理装置１０１は、系統側管理装置１５１から電力管理情報を受信すると、受信した電力管理情報に基づいて、電力需要施設における消費抑制内容の複数の候補を示す抑制内容情報を１または複数の需要家装置２０２へ送信する抑制内容情報通知処理を行なう。ここで、抑制内容情報は、１回で送信されてもよいし、また、複数回に分割して送信されてもよい。
【００６８】
より詳細には、電力消費管理装置１０１は、たとえば、電力管理情報に基づいて、電力消費を抑制すべき節電期間、および電力消費の抑制量ＳＱを満たすような消費抑制内容の複数の候補を示す抑制内容情報を１または複数の需要家装置２０２へ通知する。これら複数の候補は、たとえば需要家ごとにカスタマイズされる。
【００６９】
需要家装置２０２は、抑制内容情報を電力消費管理装置１０１から受信し、受信した抑制内容情報の示す複数の候補の選択結果を示す応答情報を電力消費管理装置１０１へ送信する。より詳細には、需要家装置２０２は、抑制内容情報に基づいて電力需要施設における消費抑制内容の複数の候補を示す画面の情報を生成し、生成した画面の情報をたとえば端末装置１７１へ送信する。
【００７０】
端末装置１７１は、たとえば、需要家装置２０２から画面の情報を受信すると、受信した画面の情報を用いて画面を表示する。なお、端末装置１７１は、画面の情報を電力消費管理装置１０１から受信してもよい。
【００７１】
たとえば、端末装置１７１を操作する需要家は、画面の表示を見て自己の都合に合う消費抑制内容を選択する。端末装置１７１は、需要家により選択された消費抑制内容を示す選択結果情報を需要家装置２０２へ送信する。
【００７２】
需要家装置２０２は、端末装置１７１から選択結果情報を受信すると、受信した選択結果情報に基づいて応答情報を作成し、作成した応答情報を電力消費管理装置１０１へ送信する。
【００７３】
［電力消費管理システムの適用例］
図２は、本発明の第１の実施の形態に係る電力消費管理システムの適用例を示す図である。
【００７４】
図２を参照して、電力会社の施設には、たとえばサーバである系統側管理装置１５１と、データベース（ＤＢ）１６２とが設けられている。アグリゲータの施設には、たとえばＤＲＡＳ（Ｄｅｍａｎｄ  Ｒｅｓｐｏｎｓｅ  Ａｕｔｏｍａｔｉｏｎ  Ｓｅｒｖｅｒ）である電力消費管理装置１０１と、データベース１６１とが設けられている。各需要家の施設には、たとえば計測装置および制御装置の機能を有する需要家装置２０２と、端末装置１７１と、電力メータ１８１と、電流センサ１８２と、センサ１８３と、負荷２０５とが設けられている。
【００７５】
系統側管理装置１５１は、データベース１６２に保存された情報等に基づいて、たとえばＤＲ期間の開始タイミングおよびＤＲ期間の長さ、ならびに電力消費の抑制量ＳＱを示す電力管理情報を電力消費管理装置１０１へ送信する。
【００７６】
電力消費管理装置１０１は、系統側管理装置１５１から受信した電力管理情報、およびデータベース１６１に保存された各種情報等に基づいて抑制内容情報を作成し、作成した抑制内容情報を１または複数の需要家装置２０２へ送信する。
【００７７】
需要家装置２０２は、電力消費管理装置１０１から受信した抑制内容情報の示す複数の候補から１または複数の候補を選択し、選択した候補の示す消費抑制内容に基づいて、負荷２０５を制御する。具体的には、たとえば、需要家装置２０２は、負荷２０５である空調の設定温度を１度上昇させたり、負荷２０５であるフロア照明をオフしたりする制御を行なう。なお、需要家装置２０２は、電力消費管理装置１０１から受信した抑制内容情報の示す候補を選択しないことも可能である。
【００７８】
電力メータ１８１は、たとえば需要家施設における全体の消費電力を測定し、測定結果を示す信号を需要家装置２０２へ送信する。電流センサ１８２は、たとえば需要家施設における各フロアに設けられ、フロア単位の消費電力を測定し、測定結果を示す信号を需要家装置２０２へ送信する。センサ１８３は、たとえば、需要家施設における各フロアに設けられた温度センサまたは湿度センサであり、検知結果を示す信号を需要家装置２０２へ送信する。
【００７９】
需要家装置２０２は、たとえば電力消費管理装置１０１からの要求に応じて、負荷２０５に対する制御内容、電力メータ１８１および電流センサ１８２等の測定結果に基づく所定時間単位の消費電力量、ならびに各種センサ１８３の検知結果を示すセンサ情報を電力消費管理装置１０１へ送信する。
【００８０】
電力消費管理装置１０１は、需要家装置２０２から取得した各種情報をデータベース１６１に保存する。また、電力消費管理装置１０１は、インターネット等から各種情報、たとえば、需要家施設の地域における気温、湿度および天候等の過去の気象情報および気象予報情報を取得してデータベース１６１に保存する。
【００８１】
また、データベース１６１には、電力消費の抑制に関する過去のデータが保存されている。過去のデータは、具体的には、たとえば、過去の電力消費の抑制内容、過去の電力消費の抑制内容を実行したときの消費電力の削減量の実績値、過去の電力消費の抑制内容を実行したときのオフィス環境、および過去の電力消費の抑制内容を実行したときの気候等である。
【００８２】
［電力消費管理装置］
図３は、本発明の第１の実施の形態に係る電力消費管理システムにおける電力消費管理装置の構成を示す図である。
【００８３】
図３を参照して、電力消費管理装置１０１は、電力管理情報取得部２２と、最適化条件設定部２３と、最適化部２４と、削減報奨金推定部２５と、削減効果量推定部２６と、効果情報作成部２８と、効果情報通知部２９と、候補情報作成部（抑制内容情報作成部）３０と、候補情報通知部（抑制内容情報通知部）３１と、節電結果取得部３２と、削減報奨金確定部３３と、画面情報作成部３７と、画面情報通知部３８とを備える。
【００８４】
電力管理情報取得部２２は、電力系統側から電力消費に関する電力管理情報を取得する。より詳細には、電力管理情報取得部２２は、たとえば、系統側管理装置１５１から電力管理情報を受信すると、受信した電力管理情報を最適化条件設定部２３へ出力する。
【００８５】
最適化条件設定部２３は、電力管理情報取得部２２から電力管理情報を受けると、電力管理情報の示す電力消費の抑制量ＳＱが満たされるように、各需要家に与える消費抑制内容を最適化するために必要な条件を設定する。
【００８６】
具体的には、電力管理情報は、たとえばＤＲ期間および電力消費の抑制量ＳＱとしてそれぞれ９時〜１４時および１００ｋＷｈを示す。
【００８７】
最適化条件設定部２３は、たとえば、ＤＲ期間、電力消費の抑制量ＳＱ、各需要家の都合、および各需要家において制御可能な負荷２０５の個数等の要件、ならびに各需要家の電力抑制推定量、各需要家における負荷２０５の状態、および外気温等の環境条件を設定する。
【００８８】
ここで、電力抑制推定量は、たとえば、各需要家において過去に節電を行ったときの消費電力の抑制量の実績値に基づいて推定した消費電力の抑制量である。最適化条件設定部２３は、設定した要件および環境条件を最適化部２４へ出力する。
【００８９】
図４は、本発明の第１の実施の形態に係る電力消費管理装置における最適化部が算出する、各需要家に与えるべき消費抑制内容の候補の一例を示す図である。
【００９０】
図４を参照して、最適化部２４は、たとえば、数理最適化ソルバーであり、最適化条件設定部２３から要件および環境条件を受けると、受けた要件および環境条件を引数に用いて消費抑制内容の最適化を行う。
【００９１】
たとえば、最適化部２４は、需要家装置２０２Ａ，２０２Ｂ，２０２Ｃの中から抑制内容情報の通知先として１または複数の需要家装置２０２を選択する。ここでは、電力消費管理装置１０１は、需要家装置２０２Ａ，２０２Ｂ，２０２Ｃの３つの需要家装置２０２を選択する。
【００９２】
また、最適化部２４は、たとえば、長期間に亘る電力消費の抑制による電力需要施設における各負荷２０５の不使用または使用抑制による需要家の負担を分散させるため、９時〜１４時までのＤＲ期間を、たとえば１時間のサブＤＲ期間に分割する。
【００９３】
最適化部２４は、たとえば、電力需要施設における異なる負荷２０５を電力消費の抑制対象とする複数の候補をサブＤＲ期間ごとに作成する。
【００９４】
具体的には、最適化部２４は、たとえば、「時間：９−１０時，消費抑制内容：４Ｆ空調機設定温度１度上げる」、「時間：９−１０時，消費抑制内容：１Ｆフロア空調機オフ」および「時間：９−１０時，消費抑制内容：１Ｆフロア照明オフ」を、９時〜１０時のサブＤＲ期間において需要家装置２０２Ａに与えるべき消費抑制内容の候補ＣＡ１、候補ＣＡ２および候補ＣＡ３としてそれぞれ算出する。
【００９５】
また、最適化部２４は、たとえば、「時間：９−１０時，消費抑制内容：４Ｆ空調機設定温度１度上げる」、「時間：９−１０時，消費抑制内容：３Ｆ空調機設定温度１度上げる」および「時間：９−１０時，消費抑制内容：８Ｆフロア空調機オフ」を、９時〜１０時のサブＤＲ期間において需要家装置２０２Ｂに与えるべき消費抑制内容の候補ＣＢ１、候補ＣＢ２および候補ＣＢ３としてそれぞれ算出する。
【００９６】
また、最適化部２４は、たとえば、「９−１０時，消費抑制内容：４Ｆ空調機設定温度１度上げる」、「９−１０時，消費抑制内容：１Ｆフロア空調機オフ」および「９−１０時，消費抑制内容：３Ｆフロア空調機オフ」を、９時〜１０時のサブＤＲ期間において需要家装置２０２Ｃに与えるべき消費抑制内容の候補ＣＣ１、候補ＣＣ２および候補ＣＣ３としてそれぞれ算出する。
【００９７】
最適化部２４は、需要家装置２０２ごとに算出した複数の候補を削減効果量推定部２６および候補情報作成部３０へ出力する。
【００９８】
［削減効果量の推定］
削減効果量推定部２６は、たとえば、複数の候補を最適化部２４から受けると、受けた候補ごとに削減効果量を推定する。
【００９９】
具体的には、削減効果量推定部２６は、たとえば、データベース１６１に保存されているデータに基づいて、データのカテゴライズ、データの相関性の取得、データのグループ化および需要家特性等の発見の少なくともいずれか１つを目的として、過去のデータを用いるデータ分析を行う。ここで、データ分析は、たとえば、主成分分析および相関分析等の統計解析、ならびに識別、回帰およびクラスタリング等の機械学習である。
【０１００】
削減効果量推定部２６は、たとえば、データ分析の結果に基づいて、消費電力の抑制を行う予定日の条件を引数とする関数であって削減効果量を算出するための関数を作成する。そして、削減効果量推定部２６は、たとえば、作成した関数に、ＤＲ期間を含む予定日の条件を引数として代入して削減効果量を推定する。
【０１０１】
具体的には、削減効果量推定部２６は、たとえば候補ＣＡ１に対して１００ｋＷｈの削減効果量を推定する。また、削減効果量推定部２６は、たとえば候補ＣＡ２に対して１１０ｋＷｈの削減効果量を推定する。また、削減効果量推定部２６は、たとえば候補ＣＡ３に対して１３０ｋＷｈの削減効果量を推定する。
【０１０２】
削減効果量推定部２６は、候補ごとに推定した削減効果量を削減報奨金推定部２５および効果情報作成部２８へ出力する。
【０１０３】
［削減報奨金の推定］
削減報奨金推定部２５は、たとえば、削減効果量推定部２６により推定された候補ごとの削減効果量を削減効果量推定部２６から受けると、受けた候補ごとの削減効果量に基づいて、電力需要施設における電力消費の抑制に対して与えられる対価である削減報奨金を推定する。なお、上記対価は、削減報奨金に限定されず、サービスまたは商品と交換可能なポイント等であってもよい。
【０１０４】
より詳細には、削減報奨金推定部２５は、たとえば電力量料金の１ｋＷｈ当たりの価格を保持している。ここで、削減報奨金推定部２５は、電力量料金の１ｋＷｈ当たりの価格を予め保持しておいてもよいし、電力小売事業者から取得してもよい。
【０１０５】
削減報奨金推定部２５は、たとえば、削減効果量推定部２６から受けた削減効果量に電力量料金の１ｋＷｈ当たりの価格を乗じた値を削減報奨金として推定する。
【０１０６】
具体的には、削減報奨金推定部２５は、たとえば電力量料金の１ｋＷｈ当たりの価格が１００円である場合、候補ＣＡ１の１００ｋＷｈの削減効果量に対して１０００円の削減報奨金を推定する。また、削減効果量推定部２６は、たとえば候補ＣＡ２の１１０ｋＷｈの削減効果量に対して１１００円の削減報奨金を推定する。また、削減効果量推定部２６は、たとえば候補ＣＡ３の１３０ｋＷｈの削減効果量に対して１３００円の削減報奨金を推定する。
【０１０７】
削減報奨金推定部２５は、候補ごとに推定した削減報奨金を効果情報作成部２８へ出力する。
【０１０８】
［効果情報の作成および通知］
図５は、本発明の第１の実施の形態に係る電力消費管理装置における効果情報作成部が作成する、各需要家に与えるべき消費抑制内容の候補に対応する効果情報の一例を示す図である。
【０１０９】
図５を参照して、効果情報作成部２８は、たとえば、電力需要施設における消費抑制内容の複数の候補に対応する効果を示す効果情報を作成する。
【０１１０】
より詳細には、効果情報作成部２８は、たとえば、需要家装置２０２ごとの複数の候補に対応する削減効果量および削減報奨金を効果情報として作成する。
【０１１１】
具体的には、効果情報作成部２８は、たとえば、需要家装置２０２Ａの効果情報として、候補ＣＡ１に対応する効果情報ＥＩＡ１である「削減効果量：１００ｋＷｈ，削減報奨金１０００円」、候補ＣＡ２に対応する効果情報ＥＩＡ２である「削減効果量：１１０ｋＷｈ，削減報奨金１１００円」、および候補ＣＡ３に対応する効果情報ＥＩＡ３である「削減効果量：１３０ｋＷｈ，削減報奨金１３００円」を作成する。
【０１１２】
効果情報作成部２８は、作成した効果情報ＥＩＡ１〜ＥＩＡ３を効果情報通知部２９および画面情報作成部３７へ出力する。
【０１１３】
また、効果情報作成部２８は、需要家装置２０２Ｂの候補ＣＢ１〜ＣＢ３にそれぞれ対応する効果情報ＥＩＢ１〜ＥＩＢ３も同様に作成し、作成した効果情報ＥＩＢ１〜ＥＩＢ３を効果情報通知部２９および画面情報作成部３７へ出力する。また、効果情報作成部２８は、需要家装置２０２Ｃの候補ＣＣ１〜ＣＣ３にそれぞれ対応する効果情報ＥＩＣ１〜ＥＩＣ３も同様に作成し、作成した効果情報ＥＩＣ１〜ＥＩＣ３を効果情報通知部２９および画面情報作成部３７へ出力する。
【０１１４】
効果情報通知部２９は、効果情報作成部２８によって作成された効果情報を通知する。より詳細には、効果情報通知部２９は、たとえば、効果情報作成部２８から効果情報ＥＩＡ１〜ＥＩＡ３、ＥＩＢ１〜ＥＩＢ３およびＥＩＣ１〜ＥＩＣ３を受けると、受けた各効果情報を保持する。
【０１１５】
効果情報通知部２９は、たとえば、効果情報の通知の要求を需要家装置２０２から受けると、要求対象の効果情報を要求元の需要家装置２０２へ通知する。
【０１１６】
具体的には、効果情報通知部２９は、たとえば、需要家装置２０２Ａから効果情報の通知の要求を受けると、保持している対応の効果情報ＥＩＡ１〜ＥＩＡ３を要求元の需要家装置２０２Ａへ通知する。
【０１１７】
また、効果情報通知部２９は、たとえば、需要家装置２０２Ｂから効果情報の通知の要求を受けると、保持している対応の効果情報ＥＩＢ１〜ＥＩＢ３を要求元の需要家装置２０２Ｂへ通知する。
【０１１８】
また、効果情報通知部２９は、たとえば、需要家装置２０２Ｃから効果情報の通知の要求を受けると、保持している対応の効果情報ＥＩＣ１〜ＥＩＣ３を要求元の需要家装置２０２Ｃへ通知する。
【０１１９】
［候補情報の作成］
図６は、本発明の第１の実施の形態に係る電力消費管理装置における候補情報作成部が作成する候補情報の一例を示す図である。
【０１２０】
図６を参照して、候補情報作成部３０は、電力需要施設における電力消費の抑制内容の複数の候補を示す抑制内容情報を作成する。具体的には、候補情報作成部３０は、電力需要施設における電力消費の抑制内容の複数の候補をそれぞれ示す複数の候補情報を作成する。すなわち、候補情報作成部３０により作成された複数の候補情報を合わせた情報が抑制内容情報である。
【０１２１】
抑制内容情報は、たとえば候補すなわち候補情報ごとに異なる識別子を含む。また、抑制内容情報は、たとえば電力需要施設における電力消費の抑制に対して与えられる対価について、異なる対価が与えられる複数の候補を示す情報を含む。また、抑制内容情報は、たとえば電力需要施設における異なる負荷２０５を電力消費の抑制対象とする複数の候補を示す情報を含む。
【０１２２】
具体的には、候補情報作成部３０は、需要家装置２０２ごとの複数の候補を最適化部２４から受けると、受けた各候補を用いて候補情報を作成する。
【０１２３】
たとえば、候補情報作成部３０は、需要家装置２０２Ａに通知すべき候補情報として、需要家装置２０２Ａの候補ごとに候補情報を作成する。
【０１２４】
具体的には、候補情報作成部３０は、たとえば、候補ＣＡ１すなわち「時間：９−１０時，消費抑制内容：４Ｆ空調機設定温度１度上げる」を含む候補情報ＣＩＡ０１を作成する。候補情報ＣＩＡ０１は、さらに、識別子である「イベント識別子：Ａ１」、および「プログラム：候補」を含む。ここで、「プログラム」は、文字列を含む。たとえば、電力消費管理装置１０１および需要家装置２０２では、「プログラム」に「候補」という文字列が含まれる場合、「候補」という文字列を含む候補情報から候補を選択できるように取り決められている。
【０１２５】
また、候補情報作成部３０は、たとえば、候補ＣＡ２すなわち「時間：９−１０時，消費抑制内容：１Ｆフロア空調機オフ」を含む候補情報ＣＩＡ０２を作成する。候補情報ＣＩＡ０２は、さらに、識別子である「イベント識別子：Ａ２」、および「プログラム：候補」を含む。
【０１２６】
また、候補情報作成部３０は、たとえば、候補ＣＡ３すなわち「時間：９−１０時，消費抑制内容：１Ｆフロア照明オフ」を含む候補情報ＣＩＡ０３を作成する。候補情報ＣＩＡ０３は、さらに、識別子である「イベント識別子：Ａ３」、および「プログラム：候補」を含む。
【０１２７】
候補情報作成部３０は、作成した候補情報ＣＩＡ０１〜ＣＩＡ０３を候補情報通知部３１および画面情報作成部３７へ出力する。
【０１２８】
また、候補情報作成部３０は、需要家装置２０２Ｂに通知すべき候補情報ＣＩＢ０１〜ＣＩＢ０３も同様に作成し、作成した候補情報ＣＩＢ０１〜ＣＩＢ０３を候補情報通知部３１および画面情報作成部３７へ出力する。また、候補情報作成部３０は、需要家装置２０２Ｃに通知すべき候補情報ＣＩＣ０１〜ＣＩＣ０３も同様に作成し、作成した候補情報ＣＩＣ０１〜ＣＩＣ０３を候補情報通知部３１および画面情報作成部３７へ出力する。
【０１２９】
［候補情報の通知］
候補情報通知部３１は、候補情報作成部３０によって作成された抑制内容情報を通知する。この場合、候補情報通知部３１は、抑制内容情報に含まれる複数の候補情報を別個で通知する。
【０１３０】
より詳細には、候補情報通知部３１は、候補情報作成部３０から候補情報ＣＩＡ０１〜ＣＩＡ０３、ＣＩＢ０１〜ＣＩＢ０３およびＣＩＣ０１〜ＣＩＣ０３を受けると、受けた各候補情報を保持する。
【０１３１】
候補情報通知部３１は、たとえば、候補情報の通知の要求を示すＤＲ内容要求を需要家装置２０２から受けると、電力消費管理装置１０１および需要家装置２０２間の通信方法を定める規格（以下、ＤＲ通信規格とも称する。）に従って、保持している要求対象の候補情報を要求元の需要家装置２０２へ通知する。
【０１３２】
ここで、ＤＲ通信規格では、たとえば、以下のことが定められている。すなわち、候補情報通知部３１は、需要家装置２０２からＤＲ内容要求を受けると、候補情報ＣＩＡ０１〜ＣＩＡ０３のうちのいずれか１つの候補情報を要求元の需要家装置２０２へ通知する。
【０１３３】
また、候補情報通知部３１は、たとえば、需要家装置２０２へ通知した候補情報に対する応答情報を取得するまでは、他の候補情報を当該需要家装置２０２へ通知しない。
【０１３４】
また、候補情報通知部３１は、たとえば、需要家装置２０２から応答情報を取得すると、取得した応答情報を画面情報作成部３７へ出力するとともに、取得した応答情報が、対応の候補情報に対する不参加を示す場合、当該対応の候補情報を削除する。
【０１３５】
具体的には、候補情報通知部３１は、たとえば、需要家装置２０２ＡからＤＲ内容要求を受けると、保持している候補情報ＣＩＡ０１〜ＣＩＡ０３のうちのいずれか１つ、ここでは候補情報ＣＩＡ０１を需要家装置２０２Ａへ通知する。
【０１３６】
候補情報通知部３１は、たとえば、需要家装置２０２Ａへ通知した候補情報ＣＩＡ０１に対する応答情報を取得し、取得した応答情報が候補情報ＣＩＡ０１に対する不参加を示す場合、候補情報ＣＩＡ０１を削除する。
【０１３７】
そして、候補情報通知部３１は、たとえば、需要家装置２０２ＡからＤＲ内容要求を受けると、保持している候補情報ＣＩＡ０２およびＣＩＡ０３のいずれか一方、ここでは候補情報ＣＩＡ０２を要求元の需要家装置２０２Ａへ通知する。
【０１３８】
候補情報通知部３１は、たとえば、需要家装置２０２Ａへ通知した候補情報ＣＩＡ０２に対する応答情報を取得し、取得した応答情報が候補情報ＣＩＡ０２に対する不参加を示す場合、候補情報ＣＩＡ０２を削除する。
【０１３９】
そして、候補情報通知部３１は、たとえば、需要家装置２０２ＡからＤＲ内容要求を受けると、保持している候補情報ＣＩＡ０３を要求元の需要家装置２０２Ａへ通知する。
【０１４０】
また、候補情報通知部３１は、たとえば、需要家装置２０２ＢからＤＲ内容要求を受ける場合においても、需要家装置２０２ＡからＤＲ内容要求を受ける場合と同様に、ＤＲ通信規格に従って、要求対象の候補情報を需要家装置２０２Ｂへ通知する。
【０１４１】
また、候補情報通知部３１は、たとえば、需要家装置２０２ＣからＤＲ内容要求を受ける場合においても、需要家装置２０２ＡからＤＲ内容要求を受ける場合と同様に、ＤＲ通信規格に従って、要求対象の候補情報を需要家装置２０２Ｃへ通知する。
【０１４２】
［画面情報の作成および通知］
画面情報作成部３７は、たとえば、電力需要施設における電力消費の抑制内容の複数の候補を示す画面の情報（以下、候補画面情報とも称する。）を作成する。
【０１４３】
具体的には、画面情報作成部３７は、たとえば、候補情報作成部３０から受ける候補情報と効果情報作成部２８から受ける効果情報とを含む候補画面情報を作成する。
【０１４４】
なお、画面情報作成部３７は、効果情報を含まない候補画面情報を作成してもよい。また、画面情報作成部３７は、たとえば、候補情報に対する応答情報を候補情報通知部３１から取得可能である場合、候補画面情報に当該応答情報の内容を含めてもよい。
【０１４５】
画面情報作成部３７は、作成した候補画面情報を画面情報通知部３８へ出力する。
【０１４６】
画面情報通知部３８は、たとえば、画面情報作成部３７から候補画面情報を受けると、受けた候補画面情報を保持する。
【０１４７】
また、画面情報通知部３８は、たとえば、端末装置１７１に対して候補画面情報を提供するサーバとして機能し、候補画面情報の通知の要求を端末装置１７１から受けると、保持している候補画面情報を要求元の端末装置１７１へ通知する。
【０１４８】
［需要家装置］
図７は、本発明の第１の実施の形態に係る電力消費管理システムにおける需要家装置の構成を示す図である。
【０１４９】
図７を参照して、需要家装置２０２は、候補情報取得部（抑制内容情報取得部）４１と、効果情報取得部４２と、画面情報作成部４３と、画面情報通知部４４と、選択結果取得部４５と、応答情報通知部４６と、制御部４７と、抑制量取得部４８と、節電結果通知部４９とを備える。
【０１５０】
図７を参照して、以下、需要家装置２０２Ａにおける各構成要素および動作について説明するが、需要家装置２０２Ａ以外の需要家装置２０２における各構成要素および動作についても同様である。
【０１５１】
候補情報取得部４１は、電力需要施設における電力消費の抑制内容の複数の候補を示す抑制内容情報を取得する。より詳細には、候補情報取得部４１は、たとえば、複数回に分けて通知された、抑制内容情報の示す複数の候補に対応する候補情報を取得する。すなわち、候補情報取得部４１は、抑制内容情報に含まれる複数の候補情報を複数回に分けて取得する。
【０１５２】
具体的には、候補情報取得部４１は、たとえば、ＤＲ内容要求を定期的に電力消費管理装置１０１へ通知し、当該ＤＲ内容要求の応答として候補情報ＣＩＡ０１を電力消費管理装置１０１から取得する。
【０１５３】
候補情報取得部４１は、たとえば、取得した候補情報ＣＩＡ０１を画面情報作成部４３、制御部４７および応答情報通知部４６へ出力する。
【０１５４】
効果情報取得部４２は、たとえば、効果情報の通知の要求を定期的に電力消費管理装置１０１へ通知し、当該要求の応答として効果情報ＥＩＡ１を電力消費管理装置１０１から取得する。
【０１５５】
効果情報取得部４２は、たとえば、取得した効果情報ＥＩＡ１を画面情報作成部４３へ出力する。
【０１５６】
画面情報作成部４３は、候補画面情報を作成する。具体的には、画面情報作成部４３は、たとえば、候補情報取得部４１から受ける候補情報ＣＩＡ０１と効果情報取得部４２から受ける効果情報ＥＩＡ１とを含む候補画面情報を作成する。
【０１５７】
なお、画面情報作成部４３は、効果情報を含まない候補画面情報を作成してもよい。また、画面情報作成部４３は、たとえば、候補情報に対する応答情報を応答情報通知部４６から取得可能である場合、候補画面情報に当該応答情報の内容を含めてもよい。
【０１５８】
画面情報作成部４３は、作成した候補画面情報を画面情報通知部４４へ出力する。
【０１５９】
画面情報通知部４４は、たとえば、画面情報作成部４３から候補画面情報を受けると、受けた候補画面情報を保持する。
【０１６０】
また、画面情報通知部４４は、たとえば、端末装置１７１に対して候補画面情報を提供するサーバとして機能し、候補画面情報の通知の要求を端末装置１７１から受けると、保持している候補画面情報を要求元の端末装置１７１へ通知する。
【０１６１】
図８は、本発明の第１の実施の形態に係る電力消費管理システムにおける端末装置の構成を示す図である。
【０１６２】
図８を参照して、端末装置１７１は、画面情報取得部６１と、表示制御部６２と、表示部６３と、選択受け付け部６４と、選択結果通知部６５とを備える。
【０１６３】
図８を参照して、端末装置１７１は、たとえばスマートフォンまたはＰＣ（パーソナルコンピュータ）である。
【０１６４】
端末装置１７１における表示部６３は、たとえばディスプレイであり、表示制御部６２による制御に従って、需要家に伝達すべき情報を表示する。
【０１６５】
画面情報取得部６１は、候補画面情報を取得する。具体的には、画面情報取得部６１は、たとえば、候補画面情報の通知の要求を定期的に需要家装置２０２Ａへ通知し、当該要求の応答として候補画面情報を需要家装置２０２Ａから取得する。画面情報取得部６１は、取得した候補画面情報を表示制御部６２へ出力する。
【０１６６】
図９は、本発明の第１の実施の形態に係る電力消費管理システムの端末装置において表示される画面の一例を示す図である。
【０１６７】
図９には、たとえば、需要家装置２０２Ａに通信接続されている端末装置１７１における表示部６３に表示される画面が示されている。
【０１６８】
表示制御部６２は、たとえば、画面情報取得部６１から候補画面情報を受けると、受けた候補画面情報を用いて画面を表示する、具体的には、図９に示す画面を表示部６３に表示させる。なお、表示制御部６２は、効果情報に対応する、「削減効果量」および「削減報奨金」を含まない画面を表示部６３に表示させてもよい。
【０１６９】
選択受け付け部６４は、たとえばディスプレイの表示画面に組合せて設けられるタッチパネル、またはキーボードであり、需要家の操作を受け付ける。
【０１７０】
需要家は、たとえば、表示部６３において表示されている候補１の節電に参加しようとする場合、選択受け付け部６４を操作して候補１の節電に参加する旨を入力する。また、需要家は、たとえば、表示部６３において表示されている候補１の節電に参加しない場合、選択受け付け部６４を操作して候補１の節電に参加しない旨を入力する。
【０１７１】
選択受け付け部６４は、たとえば、需要家の操作を受け付け、受け付けた操作の内容に基づいて選択結果情報を作成する。そして、選択受け付け部６４は、たとえば、作成した選択結果情報を選択結果通知部６５へ出力する。
【０１７２】
選択結果通知部６５は、選択受け付け部６４から選択結果情報を受けると、受けた選択結果情報を需要家装置２０２Ａへ通知する。
【０１７３】
再び図７を参照して、需要家装置２０２Ａにおける選択結果取得部４５は、たとえば、端末装置１７１から選択結果情報を取得すると、取得した選択結果情報を応答情報通知部４６へ出力する。
【０１７４】
応答情報通知部４６は、候補情報取得部４１によって取得された抑制内容情報の示す複数の候補の選択結果を示す応答情報を通知する。
【０１７５】
具体的には、応答情報通知部４６は、たとえば、選択結果取得部４５から選択結果情報を受けると、受けた選択結果情報と候補情報取得部４１から受ける候補情報とを対応付けることにより応答情報を作成する。
【０１７６】
より詳細には、応答情報通知部４６は、たとえば、候補１の節電に参加する旨を選択結果情報が示す場合、需要家装置２０２Ａの候補情報ＣＩＡ０１に対する参加を示す応答情報を作成する。
【０１７７】
また、応答情報通知部４６は、たとえば、候補１の節電に参加しない旨を選択結果情報が示す場合、需要家装置２０２Ａの候補情報ＣＩＡ０１に対する不参加を示す応答情報を作成する。
【０１７８】
応答情報通知部４６は、作成した応答情報を制御部４７および画面情報作成部４３へ出力するとともに、応答情報を電力消費管理装置１０１へ通知する。
【０１７９】
制御部４７は、たとえば、応答情報通知部４６から受けた応答情報に基づいて負荷２０５を制御することにより、負荷２０５の電力消費を抑制する。
【０１８０】
より詳細には、制御部４７は、たとえば、候補情報取得部４１から受けた応答情報に基づいて、需要家によって参加することが選択された候補情報を認識し、認識した候補情報に含まれる消費抑制内容を把握する。そして、制御部４７は、たとえば、把握した消費抑制内容に従って、ＤＲ期間において負荷２０５を制御することにより、負荷２０５の電力消費を抑制する。
【０１８１】
なお、電力消費管理システム３０１では、需要家により候補の選択が行われる構成であるとしたが、これに限定するものではなく、電力消費管理装置１０１または需要家装置２０２等により自動的に候補の選択が行われる構成であってもよい。
【０１８２】
図１０は、本発明の第１の実施の形態に係る各電力需要施設における消費電力の一例を示す図である。図１０では、縦軸は負荷２０５の消費電力を示し、横軸は時間を示す。
【０１８３】
図７および図１０を参照して、需要家装置２０２における抑制量取得部４８は、ＤＲ期間における負荷２０５の消費電力の抑制量の実測値である実測抑制量を取得し、取得した実測抑制量を節電結果通知部４９へ出力する。
【０１８４】
具体的には、抑制量取得部４８は、たとえば、サブＤＲ期間として９時〜１０時の期間における制御部４７による負荷２０５の制御の内容、および負荷２０５における消費電力の実測値に基づいて実測抑制量を取得する。
【０１８５】
ここで、実測抑制量は、たとえば、グラフＧＦ１およびＧＦ２で示すように、９時〜１０時の期間において、制御部４７による電力消費を抑制するための制御が行われなかったと仮定した場合における消費電力の合計（グラフＧＦ１）から制御部４７による上記制御が行われた場合における消費電力の合計（グラフＧＦ２）を差し引くことにより算出される。
【０１８６】
節電結果通知部４９は、抑制量取得部４８から実測抑制量を受けると、受けた実測抑制量を示す電力消費情報を作成し、作成した電力消費情報を電力消費管理装置１０１へ通知する。
【０１８７】
再び図３を参照して、電力消費管理装置１０１における節電結果取得部３２は、たとえば、需要家装置２０２から電力消費情報を取得すると、取得した電力消費情報の示す実測抑制量を削減報奨金確定部３３へ出力する。
【０１８８】
削減報奨金確定部３３は、たとえば、節電結果取得部３２から実測抑制量を受けると、受けた実測抑制量に基づいて削減報奨金を確定する。具体的には、削減報奨金確定部３３は、たとえば電力量料金の１ｋＷｈ当たりの価格を保持している。ここで、削減報奨金確定部３３は、電力量料金の１ｋＷｈ当たりの価格を予め保持しておいてもよいし、電力小売事業者から取得してもよい。
【０１８９】
削減報奨金確定部３３は、たとえば、実測抑制量に電力量料金の１ｋＷｈ当たりの価格を乗じた値を削減報奨金として確定し、確定した削減報奨金である削減報奨金確定値を効果情報作成部２８へ出力する。
【０１９０】
効果情報作成部２８は、削減報奨金確定部３３から削減報奨金確定値を受けると、たとえば、受けた削減報奨金確定値を含む効果情報を作成し、作成した効果情報を効果情報通知部２９経由で実測抑制量の送信元の需要家装置２０２へ通知する。
【０１９１】
［動作（システム全体）］
図１１は、本発明の第１の実施の形態に係る電力消費管理システムにおける電力消費抑制処理のシーケンスの一例を示す図である。
【０１９２】
電力消費管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１９３】
図１１を参照して、まず、系統側管理装置１５１は、電力需要を予測し、電力需給が逼迫する可能性が高い場合、電力消費の抑制を行なうべきであると判断し、電力管理情報を電力消費管理装置１０１へ送信する（ステップＳ１０２）。
【０１９４】
次に、電力消費管理装置１０１は、系統側管理装置１５１から電力管理情報を受信すると、受信した電力管理情報に基づいて、電力需要施設における異なる負荷２０５を電力消費の抑制対象とする複数の候補を作成する。そして、電力消費管理装置１０１は、作成した複数の候補を用いて、電力需要施設における消費抑制内容の候補を示す候補情報を複数作成する（ステップＳ１０４）。
【０１９５】
次に、電力消費管理装置１０１は、作成した候補情報が示す候補ごとに削減効果量を推定する（ステップＳ１０６）。
【０１９６】
次に、電力消費管理装置１０１は、候補ごとに推定した削減効果量に基づいて削減報奨金を推定する（ステップＳ１０８）。
【０１９７】
次に、電力消費管理装置１０１および需要家装置２０２は、候補選択処理を行う（ステップＳ１１０）。候補選択処理の詳細については後述する。
【０１９８】
次に、需要家装置２０２は、候補選択処理によって選択された候補情報に対応する消費抑制内容に従って、ＤＲ期間において負荷２０５を制御する（ステップＳ１１２）。
【０１９９】
次に、需要家装置２０２は、ＤＲ期間における負荷２０５の消費電力の抑制量の実測値である実測抑制量を取得し、取得した実測抑制量を示す電力消費情報を作成する。そして、需要家装置２０２は、作成した電力消費情報を電力消費管理装置１０１へ送信する（ステップＳ１１４）。
【０２００】
次に、電力消費管理装置１０１は、需要家装置２０２から電力消費情報を受信すると、受信した電力消費情報の示す実測抑制量に基づいて削減報奨金を確定する（ステップＳ１１６）。
【０２０１】
次に、電力消費管理装置１０１は、確定した削減報奨金を含む効果情報を作成し、作成した効果情報を需要家装置２０２へ送信する（ステップＳ１１８）。
【０２０２】
なお、電力消費管理装置１０１が候補情報を作成する処理（ステップＳ１０４）と、電力消費管理装置１０１が削減効果量を推定する処理（ステップＳ１０６）および電力消費管理装置１０１が削減報奨金を推定する処理（ステップＳ１０８）とが、入れ替わってもよい。
【０２０３】
［動作（その１）］
図１２は、本発明の第１の実施の形態に係る電力消費管理システムにおける候補選択処理のシーケンスの一例を示す図である。
【０２０４】
図１２では、たとえば、電力消費管理装置１０１および需要家装置２０２Ａ間における候補選択処理の詳細が示されている。
【０２０５】
まず、電力消費管理装置１０１は、図４に示す候補ＣＡ１、ＣＡ２およびＣＡ３を用いて、図６に示す候補情報ＣＩＡ０１、ＣＩＡ０２およびＣＩＡ０３をそれぞれ作成する（ステップＳ２０２）。
【０２０６】
次に、電力消費管理装置１０１は、図５に示す候補ごとの削減効果量を推定する（ステップＳ２０４）。
【０２０７】
次に、電力消費管理装置１０１は、候補ごとに推定した削減効果量に基づいて、図５に示す候補ごとの削減報奨金を推定する（ステップＳ２０６）。
【０２０８】
次に、需要家装置２０２Ａは、ＤＲ内容要求を電力消費管理装置１０１へ送信する（ステップＳ２０８）。
【０２０９】
次に、電力消費管理装置１０１は、需要家装置２０２ＡからＤＲ内容要求を受信すると、受信したＤＲ内容要求の応答としてたとえば候補情報ＣＩＡ０１を需要家装置２０２Ａへ送信する（ステップＳ２１０）。
【０２１０】
次に、需要家装置２０２Ａは、電力消費管理装置１０１から候補情報ＣＩＡ０１を受信すると、たとえば候補情報ＣＩＡ０１に対する不参加を示す応答情報を電力消費管理装置１０１へ送信する（ステップＳ２１２）。
【０２１１】
次に、電力消費管理装置１０１は、需要家装置２０２Ａから応答情報を受信し、受信した応答情報が候補情報ＣＩＡ０１に対する不参加を示す場合、候補情報ＣＩＡ０１を削除する（ステップＳ２１４）。
【０２１２】
次に、需要家装置２０２Ａは、ＤＲ内容要求を電力消費管理装置１０１へ送信する（ステップＳ２１６）。
【０２１３】
次に、電力消費管理装置１０１は、需要家装置２０２ＡからＤＲ内容要求を受信すると、受信したＤＲ内容要求の応答としてたとえば候補情報ＣＩＡ０２を需要家装置２０２Ａへ送信する（ステップＳ２１８）。
【０２１４】
次に、需要家装置２０２Ａは、電力消費管理装置１０１から候補情報ＣＩＡ０２を受信すると、たとえば候補情報ＣＩＡ０２に対する不参加を示す応答情報を電力消費管理装置１０１へ送信する（ステップＳ２２０）。
【０２１５】
次に、電力消費管理装置１０１は、需要家装置２０２Ａから応答情報を受信し、受信した応答情報が候補情報ＣＩＡ０２に対する不参加を示す場合、候補情報ＣＩＡ０２を削除する（ステップＳ２２２）。
【０２１６】
次に、需要家装置２０２Ａは、ＤＲ内容要求を電力消費管理装置１０１へ送信する（ステップＳ２２４）。
【０２１７】
次に、電力消費管理装置１０１は、需要家装置２０２ＡからＤＲ内容要求を受信すると、受信したＤＲ内容要求の応答として候補情報ＣＩＡ０３を需要家装置２０２Ａへ送信する（ステップＳ２２６）。
【０２１８】
次に、需要家装置２０２Ａは、電力消費管理装置１０１から候補情報ＣＩＡ０３を受信すると、たとえば候補情報ＣＩＡ０３に対する参加を示す応答情報を電力消費管理装置１０１へ送信する（ステップＳ２２８）。
【０２１９】
次に、需要家装置２０２Ａは、ＤＲ内容要求を電力消費管理装置１０１へ送信する（ステップＳ２３０）。
【０２２０】
次に、電力消費管理装置１０１は、需要家装置２０２ＡからＤＲ内容要求を受信すると、受信したＤＲ内容要求の応答として、保持している候補情報ＣＩＡ０３を需要家装置２０２Ａへ送信する（ステップＳ２３２）。
【０２２１】
図１２に示す候補選択処理の例では、ステップＳ２１０、Ｓ２１８およびＳ２２６の動作によって電力消費の抑制内容の複数の候補を示す抑制内容情報が需要家装置２０２へ送信されている。
【０２２２】
［動作（候補画面情報の取得）］
図１３は、本発明の第１の実施の形態に係る電力消費管理システムにおける候補画面情報の取得処理のシーケンスの一例を示す図である。
【０２２３】
図１４は、本発明の第１の実施の形態に係る電力消費管理システムの端末装置において表示される画面の一例を示す図である。図１４には、図４に示す候補ＣＡ１〜ＣＡ３、図５に示す効果情報ＥＩＡ１〜ＥＩＡ３、および電力消費管理装置１０１が需要家装置２０２Ａから受信した応答情報の内容が示されている。
【０２２４】
図１３には、たとえば、電力消費管理装置１０１または需要家装置２０２と端末装置１７１との間における候補画面情報の取得処理の詳細が示されている。
【０２２５】
以下、たとえば、需要家装置２０２Ａが候補情報ＣＩＡ０３に対する参加を示す応答情報を電力消費管理装置１０１へ送信した（図１２に示すステップＳ２２８）後の状況を想定する。
【０２２６】
まず、端末装置１７１は、たとえば需要家装置２０２Ａの候補画面情報の通知の要求を電力消費管理装置１０１へ送信する（ステップＳ２５２）。
【０２２７】
次に、電力消費管理装置１０１は、端末装置１７１から需要家装置２０２Ａの候補画面情報の通知の要求を受信すると、受信した当該要求の応答としてたとえば候補情報ＣＩＡ０１〜ＣＩＡ０３、効果情報ＥＩＡ１〜ＥＩＡ３、および候補情報ＣＩＡ０１〜ＣＩＡ０３に対する応答情報の内容を含む候補画面情報を要求元の端末装置１７１へ送信する（ステップＳ２５４）。
【０２２８】
次に、端末装置１７１は、電力消費管理装置１０１から候補画面情報を受信すると、受信した候補画面情報を用いて図１４に示す画面を表示部６３に表示させる（ステップＳ２５６）。
【０２２９】
なお、端末装置１７１が候補画面情報を取得するタイミングは、需要家装置２０２が候補情報に対する応答情報を電力消費管理装置１０１へ送信した後のタイミングに限らず、電力消費管理装置１０１が候補情報を作成し、作成した候補情報を含む候補画面情報を作成した後のタイミングであればいずれのタイミングでもよい。
【０２３０】
また、端末装置１７１が、需要家装置２０２Ａの候補画面情報の通知の要求を電力消費管理装置１０１へ送信する構成に限らず（ステップＳ２５２）、端末装置１７１が、当該候補画面情報の通知の要求を需要家装置２０２Ａへ送信する構成であってもよい。
【０２３１】
ところで、アグリゲータが節電要請を行っても、節電要請の対象期間において当該節電要請に従って電力消費を抑制することが需要家にとって都合が悪い場合もあり、このような場合、節電要請に対する需要家の参加率が低くなる。需要家の参加率が低くなると、十分な節電が行われなくなり、電力需給が逼迫してしまうことがある。
【０２３２】
これに対して、本発明の第１の実施の形態に係る需要家装置は、電力需要施設において用いられる。候補情報取得部４１は、電力需要施設における電力消費の抑制内容の複数の候補を示す抑制内容情報を取得する。そして、応答情報通知部４６は、候補情報取得部４１によって取得された抑制内容情報の示す複数の候補の選択結果を示す応答情報を通知する。
【０２３３】
このような構成により、需要家は、都合のよい電力消費の抑制内容を複数の候補の中から選択することができるので、需要家の節電への参加を促進することができる。これにより、節電要請に対する需要家の参加率をより高めることができるので、電力需給が逼迫してしまう状況を回避することができる。
【０２３４】
また、本発明の第１の実施の形態に係る需要家装置では、候補情報取得部４１は、候補ごとに異なる識別子であるイベント識別子を含む抑制内容情報を取得する。
【０２３５】
このような構成により、複数の候補のうち、同じ抑制内容の候補であるか、または異なる抑制内容の候補であるかを簡易な処理で判別することができる。
【０２３６】
また、本発明の第１の実施の形態に係る需要家装置では、候補情報取得部４１は、電力需要施設における電力消費の抑制に対して与えられる対価である削減報奨金について、異なる削減報奨金が与えられる複数の候補を示す抑制内容情報を取得する。
【０２３７】
このような構成により、受信した複数の候補の中から、都合のよい電力消費の抑制内容を削減報奨金の観点から選択することができる。
【０２３８】
また、本発明の第１の実施の形態に係る需要家装置では、候補情報取得部４１は、電力需要施設における異なる負荷２０５を電力消費の抑制対象とする複数の候補を示す抑制内容情報を取得する。
【０２３９】
このような構成により、受信した複数の候補の中から、都合のよい電力消費の抑制内容を負荷２０５の選択の観点から選択することができる。
【０２４０】
また、本発明の第１の実施の形態に係る電力消費管理装置は、電力需要施設における電力消費を管理する。候補情報作成部３０は、電力需要施設における電力消費の抑制内容の複数の候補を示す抑制内容情報を作成する。そして、候補情報通知部３１は、候補情報作成部３０によって作成された抑制内容情報を通知する。
【０２４１】
このような構成により、電力消費の抑制内容について複数の候補をたとえば需要家装置２０２へ送信することで、需要家は、都合のよい電力消費の抑制内容を当該複数の候補の中から選択することができるので、需要家の節電への参加を促進することができる。これにより、節電要請に対する需要家の参加率をより高めることができるので、電力需給が逼迫してしまう状況を回避することができる。
【０２４２】
また、本発明の第１の実施の形態に係る電力消費管理システムでは、電力消費管理装置１０１は、電力需要施設における電力消費を管理する。需要家装置２０２は、電力需要施設において用いられる。電力消費管理装置１０１は、電力需要施設における電力消費の抑制内容の複数の候補を示す抑制内容情報を需要家装置２０２へ送信する。需要家装置２０２は、抑制内容情報を電力消費管理装置１０１から受信し、受信した抑制内容情報の示す複数の候補の選択結果を示す応答情報を電力消費管理装置１０１へ送信する。
【０２４３】
このような構成により、需要家は、都合のよい電力消費の抑制内容を複数の候補の中から選択することができるので、需要家の節電への参加を促進することができる。これにより、節電要請に対する需要家の参加率をより高めることができるので、電力需給が逼迫してしまう状況を回避することができる。
【０２４４】
また、本発明の第１の実施の形態に係る端末装置では、画面情報取得部６１は、電力需要施設における電力消費の抑制内容の複数の候補を示す画面の情報を取得する。そして、表示制御部６２は、取得した情報を用いて画面を表示する。
【０２４５】
このように、電力需要施設における電力消費の抑制内容についての複数の候補を画面に表示する構成により、需要家は、都合のよい電力消費の抑制内容を当該複数の候補の中からたとえば選択することができるので、需要家の節電への参加を促進することができる。これにより、節電要請に対する需要家の参加率をより高めることができるので、電力需給が逼迫してしまう状況を回避することができる。
【０２４６】
次に、本発明の他の実施の形態について図面を用いて説明する。なお、図中同一または相当部分には同一符号を付してその説明は繰り返さない。
【０２４７】
＜第２の実施の形態＞
本実施の形態は、第１の実施の形態に係る電力消費管理システムと比べて複数の候補情報を需要家装置２０２へ１回で送信可能な電力消費管理システムに関する。以下で説明する内容以外は第１の実施の形態に係る電力消費管理システムと同様である。
【０２４８】
［課題］
たとえば、ＤＲ通信規格では、電力消費管理装置１０１が、図６に示す候補情報ＣＩＡ０１〜ＣＩＡ０３のように、複数の候補情報において「時間：９−１０時」が同じで、かつ「プログラム」に含まれる文字列が同じ「候補」である候補情報をまとめて需要家装置２０２へ送信しようとする場合、当該需要家装置２０２が当該複数の候補情報を識別できなくなるので、通信エラーとなることがある。
【０２４９】
このため、電力消費管理装置１０１は、１つ目の候補情報を需要家装置２０２へ送信した後、１つ目の候補情報に対応する応答情報が１つ目の候補情報に対する不参加を示す場合において、１つ目の候補情報と異なる２つ目の候補情報を需要家装置２０２へ送信するとき、１つ目の候補情報を削除した後、上記２つ目の候補情報を需要家装置２０２へ送信する必要がある。
【０２５０】
一方、需要家は、候補情報が電力消費管理装置１０１から１つずつ送信されてくる度に、送信されてきた候補情報に対して参加するか否かの判断を行わなければならない。
【０２５１】
たとえば、図１２に示すように、候補情報ＣＩＡ０１およびＣＩＡ０２が削除された（ステップＳ２１４およびＳ２２２）後では、需要家装置２０２ＡがＤＲ内容要求を電力消費管理装置１０１へ送信しても（ステップＳ２２４およびＳ２３０）、需要家装置２０２Ａは候補情報ＣＩＡ０１またはＣＩＡ０２を受信することができない。
【０２５２】
すなわち、需要家が、候補情報ＣＩＡ０１が削除された（ステップＳ２１４）後において候補情報ＣＩＡ０１に対する不参加の判断が誤っていたと気付いたり、候補情報ＣＩＡ０２が削除された（ステップＳ２２２）後において候補情報ＣＩＡ０２に対する不参加の判断が誤っていたと気付いたりしても、当該判断を変更することができないため不便である。
【０２５３】
そこで、本発明の第２の実施の形態に係る電力消費管理システム３０２における電力消費管理装置１０１および需要家装置２０２では、以下のような構成および動作により、このような課題を解決する。
【０２５４】
図１５は、本発明の第２の実施の形態に係る電力消費管理システムにおける電力消費管理装置の構成を示す図である。
【０２５５】
図１５を参照して、本発明の第２の実施の形態に係る電力消費管理システム３０２における電力消費管理装置１０１は、本発明の第１の実施の形態に係る電力消費管理装置と比べて、候補情報作成部３０および候補情報通知部３１の代わりに、候補情報作成部（抑制内容情報作成部）３４および候補情報通知部（抑制内容情報通知部）３５をそれぞれ備える。
【０２５６】
図１６は、本発明の第２の実施の形態に係る電力消費管理システムにおける需要家装置の構成を示す図である。
【０２５７】
図１６を参照して、需要家装置２０２は、本発明の第１の実施の形態に係る需要家装置と比べて、候補情報取得部４１の代わりに、候補情報取得部（抑制内容情報取得部）５０を備える。
【０２５８】
図１７は、本発明の第２の実施の形態に係る電力消費管理装置における候補情報作成部が作成する候補情報の一例を示す図である。
【０２５９】
図１５および図１７を参照して、候補情報作成部３４は、たとえば、「プログラム」に含まれる文字列が需要家装置２０２の候補ごとに異なる候補情報を作成する。
【０２６０】
具体的には、候補情報作成部３４は、たとえば、候補ＣＡ１すなわち「時間：９−１０時，消費抑制内容：４Ｆ空調機設定温度１度上げる」を含む候補情報ＣＩＡ１１を作成する。候補情報ＣＩＡ１１は、識別子である「イベント識別子：Ａ１」、および「プログラム：候補１」を含む。
【０２６１】
また、候補情報作成部３４は、たとえば、候補ＣＡ２すなわち「時間：９−１０時，消費抑制内容：１Ｆフロア空調機オフ」を含む候補情報ＣＩＡ１２を作成する。候補情報ＣＩＡ１２には、識別子である「イベント識別子：Ａ２」、および「プログラム：候補２」を含む。
【０２６２】
また、候補情報作成部３４は、たとえば、候補ＣＡ３すなわち「時間：９−１０時，消費抑制内容：１Ｆフロア照明オフ」を含む候補情報ＣＩＡ１３を作成する。候補情報ＣＩＡ１３は、識別子である「イベント識別子：Ａ３」、および「プログラム：候補３」を含む。
【０２６３】
候補情報作成部３４は、作成した候補情報ＣＩＡ１１〜ＣＩＡ１３を候補情報通知部３５および画面情報作成部３７へ出力する。
【０２６４】
また、候補情報作成部３４は、需要家装置２０２Ｂに通知すべき候補情報ＣＩＢ１１〜ＣＩＢ１３も同様に作成し、作成した候補情報ＣＩＢ１１〜ＣＩＢ１３を候補情報通知部３５および画面情報作成部３７へ出力する。また、候補情報作成部３４は、需要家装置２０２Ｃに通知すべき候補情報ＣＩＣ１１〜ＣＩＣ１３も同様に作成し、作成した候補情報ＣＩＣ１１〜ＣＩＣ１３を候補情報通知部３５および画面情報作成部３７へ出力する。
【０２６５】
候補情報通知部３５は、複数の候補をまとめて示す抑制内容情報を通知する。この場合、候補情報通知部３５は、候補情報作成部３４によって作成された複数の候補情報をまとめて通知する。具体的には、候補情報通知部３５は、たとえば、候補情報作成部３４によって作成された複数の候補情報を１つのパケットに含めて通知する。
【０２６６】
より詳細には、候補情報通知部３５は、候補情報作成部３４から候補情報ＣＩＡ１１〜ＣＩＡ１３、ＣＩＢ１１〜ＣＩＢ１３およびＣＩＣ１１〜ＣＩＣ１３を受けると、受けた各候補情報を保持する。
【０２６７】
候補情報通知部３５は、たとえば、ＤＲ内容要求を需要家装置２０２Ａから受けると、保持している候補情報ＣＩＡ１１〜ＣＩＡ１３をまとめて需要家装置２０２Ａへ通知する。また、候補情報通知部３５は、たとえば、ＤＲ内容要求を需要家装置２０２Ｂから受けると、保持している候補情報ＣＩＢ１１〜ＣＩＢ１３をまとめて需要家装置２０２Ｂへ通知する。また、候補情報通知部３５は、たとえば、ＤＲ内容要求を需要家装置２０２Ｃから受けると、保持している候補情報ＣＩＣ１１〜ＣＩＣ１３をまとめて需要家装置２０２Ｃへ通知する。
【０２６８】
再び図１６を参照して、以下、需要家装置２０２Ａにおける各構成要素および動作について説明するが、需要家装置２０２Ａ以外の需要家装置２０２における各構成要素および動作についても同様である。
【０２６９】
候補情報取得部５０は、複数の候補をまとめて示す抑制内容情報を取得する。より詳細には、候補情報取得部５０は、たとえば、１回で通知された、抑制内容情報の示す複数の候補に対応する候補情報を取得する。すなわち、候補情報取得部５０は、抑制内容情報に含まれる複数の候補情報を１回で取得する。
【０２７０】
具体的には、候補情報取得部５０は、たとえば、ＤＲ内容要求を定期的に電力消費管理装置１０１へ通知し、当該ＤＲ内容要求の応答として候補情報ＣＩＡ１１〜ＣＩＡ１３を電力消費管理装置１０１から取得する。
【０２７１】
候補情報取得部４１は、たとえば、取得した候補情報ＣＩＡ１１〜ＣＩＡ１３を画面情報作成部４３、制御部４７および応答情報通知部４６へ出力する。
【０２７２】
効果情報取得部４２は、たとえば、効果情報の通知の要求を定期的に電力消費管理装置１０１へ通知し、当該要求の応答として効果情報ＥＩＡ１〜ＥＩＡ３を電力消費管理装置１０１から取得する。
【０２７３】
効果情報取得部４２は、たとえば、取得した効果情報ＥＩＡ１〜ＥＩＡ３を画面情報作成部４３へ出力する。
【０２７４】
画面情報作成部４３は、たとえば、候補情報取得部４１から受ける候補情報ＣＩＡ１１〜ＣＩＡ１３と効果情報取得部４２から受ける効果情報ＥＩＡ１〜ＥＩＡ３とを含む候補画面情報を作成し、作成した候補画面情報を画面情報通知部４４へ出力する。
【０２７５】
画面情報通知部４４は、たとえば、画面情報作成部４３から候補画面情報を受けると、受けた候補画面情報を保持する。
【０２７６】
画面情報通知部４４は、たとえば、候補画面情報の通知の要求を端末装置１７１から受けると、保持している候補画面情報を要求元の端末装置１７１へ通知する。
【０２７７】
再び図８を参照して、画面情報取得部６１は、たとえば、候補画面情報の通知の要求を定期的に需要家装置２０２Ａへ通知し、当該要求の応答として候補画面情報を需要家装置２０２Ａから取得する。画面情報取得部６１は、取得した候補画面情報を表示制御部６２へ出力する。
【０２７８】
図１８は、本発明の第２の実施の形態に係る電力消費管理システムの端末装置において表示される画面の一例を示す図である。
【０２７９】
図１８には、たとえば、需要家装置２０２Ａに通信接続されている端末装置１７１における表示部６３に表示される画面が示されている。図１８には、図１４に示す画面に対して、電力消費管理装置１０１が需要家装置２０２Ａから受信した応答情報の内容を含まない画面が示されている。
【０２８０】
表示制御部６２は、たとえば、画面情報取得部６１から候補画面情報を受けると、受けた候補画面情報を用いて、図１８に示す画面を表示部６３に表示させる。
【０２８１】
需要家は、たとえば、表示部６３において表示されている候補１および候補３の節電に参加しようとする場合、選択受け付け部６４を操作して候補１および候補３の節電に参加する旨を入力する。また、需要家は、たとえば、表示部６３において表示されている候補２の節電に参加しない場合、選択受け付け部６４を操作して候補２の節電に参加しない旨を入力する。
【０２８２】
選択受け付け部６４は、たとえば、需要家の操作を受け付け、受け付けた操作の内容に基づいて選択結果情報を作成する。そして、選択受け付け部６４は、たとえば、作成した選択結果情報を選択結果通知部６５へ出力する。
【０２８３】
選択結果通知部６５は、選択受け付け部６４から選択結果情報を受けると、受けた選択結果情報を需要家装置２０２Ａへ通知する。
【０２８４】
再び図１６を参照して、需要家装置２０２Ａにおける選択結果取得部４５は、たとえば、端末装置１７１から選択結果情報を取得すると、取得した選択結果情報を応答情報通知部４６へ出力する。
【０２８５】
応答情報通知部４６は、たとえば、候補１および候補３の節電に参加する旨、および候補２の節電に参加しない旨を選択結果情報が示す場合、候補情報ＣＩＡ１１，ＣＩＡ１３に対する参加、および候補情報ＣＩＡ１２に対する不参加を示す応答情報を作成する。
【０２８６】
応答情報通知部４６は、作成した応答情報を制御部４７および画面情報作成部４３へ出力するとともに、応答情報を電力消費管理装置１０１へ通知する。
【０２８７】
再び図１５を参照して、電力消費管理装置１０１における候補情報通知部３５は、需要家装置２０２Ａから応答情報を取得すると、取得した応答情報に基づいて、需要家装置２０２Ａが、候補１および候補３の節電に参加し、かつ候補２の節電に参加しないことを認識する。
【０２８８】
また、候補情報通知部３５は、たとえば取得した応答情報を画面情報作成部３７へ出力する。
【０２８９】
［選択された候補の変更］
電力消費管理システム３０２は、需要家により入力された複数の候補についての選択結果を変更することが可能である。
【０２９０】
再び図８を参照して、たとえば、需要家は、選択受け付け部６４を操作して、候補１および候補３の節電に参加し、かつ候補２の節電に参加しない旨を入力した後、候補１の節電には参加しないことに変更する場合、選択受け付け部６４を操作して、候補１の節電に参加しない旨を入力する。
【０２９１】
選択受け付け部６４は、たとえば、需要家の操作を受け付け、受け付けた操作の内容に基づいて選択結果情報を作成して選択結果通知部６５へ出力する。
【０２９２】
選択結果通知部６５は、選択結果通知部６５から選択結果情報を受けると、受けた選択結果情報を需要家装置２０２Ａへ通知する。
【０２９３】
再び図１６を参照して、需要家装置２０２Ａにおける選択結果取得部４５は、たとえば、端末装置１７１から選択結果情報を取得すると、取得した選択結果情報を応答情報通知部４６へ出力する。
【０２９４】
応答情報通知部４６は、たとえば、候補１の節電に参加しない旨を選択結果情報が示す場合、候補情報ＣＩＡ１１に対する不参加を示す応答情報を作成する。
【０２９５】
応答情報通知部４６は、作成した応答情報を制御部４７および画面情報作成部４３へ出力するとともに、応答情報を電力消費管理装置１０１へ通知する。
【０２９６】
再び図１５を参照して、電力消費管理装置１０１における候補情報通知部３５は、需要家装置２０２Ａから応答情報を取得すると、取得した応答情報に基づいて、需要家装置２０２Ａが、候補１の節電に参加しないことを認識する。
【０２９７】
また、候補情報通知部３５は、たとえば取得した応答情報を画面情報作成部３７へ出力する。
【０２９８】
また、電力消費管理システム３０２は、需要家により入力された複数の候補についての選択結果の一部だけでなく当該選択結果の全部を変更することも可能である。
【０２９９】
［動作（その２）］
図１９は、本発明の第２の実施の形態に係る電力消費管理システムにおける候補選択処理のシーケンスの一例を示す図である。
【０３００】
図１９では、たとえば、電力消費管理装置１０１および需要家装置２０２Ａ間における候補選択処理の詳細が示されている。
【０３０１】
まず、電力消費管理装置１０１は、図４に示す候補ＣＡ１、ＣＡ２およびＣＡ３を用いて、図１７に示す候補情報ＣＩＡ１１、ＣＩＡ１２およびＣＩＡ１３をそれぞれ作成する（ステップＳ３０２）。
【０３０２】
次に、電力消費管理装置１０１は、図５に示す候補ごとの削減効果量を推定する（ステップＳ３０４）。
【０３０３】
次に、電力消費管理装置１０１は、候補ごとに推定した削減効果量に基づいて、図５に示す候補ごとの削減報奨金を推定する（ステップＳ３０６）。
【０３０４】
次に、需要家装置２０２Ａは、ＤＲ内容要求を電力消費管理装置１０１へ送信する（ステップＳ３０８）。
【０３０５】
次に、電力消費管理装置１０１は、需要家装置２０２ＡからＤＲ内容要求を受信すると、受信したＤＲ内容要求の応答としてたとえば候補情報ＣＩＡ１１、ＣＩＡ１２およびＣＩＡ１３を需要家装置２０２Ａへ送信する（ステップＳ３１０）。
【０３０６】
次に、需要家装置２０２Ａは、電力消費管理装置１０１から候補情報ＣＩＡ１１、ＣＩＡ１２およびＣＩＡ１３を受信すると、たとえば候補情報ＣＩＡ１１およびＣＩＡ１３に対する参加、ならびに候補情報ＣＩＡ１２に対する不参加を示す応答情報を電力消費管理装置１０１へ送信する（ステップＳ３１２）。
【０３０７】
次に、需要家装置２０２Ａは、たとえば需要家による選択結果の一部を変更する操作に基づいて、候補情報ＣＩＡ１１に対する不参加を示す応答情報を電力消費管理装置１０１へ送信する（ステップＳ３１４）。
【０３０８】
次に、需要家装置２０２Ａは、たとえば需要家による選択結果の全部を変更する操作に基づいて、候補情報ＣＩＡ１１およびＣＩＡ１２に対する参加、ならびに候補情報ＣＩＡ１３に対する不参加を示す応答情報を電力消費管理装置１０１へ送信する（ステップＳ３１６）。
【０３０９】
図１９に示す候補選択処理の例では、ステップＳ３１０の動作によって電力消費の抑制内容の複数の候補を示す抑制内容情報が需要家装置２０２へ送信されている。
【０３１０】
以上のように、本発明の第２の実施の形態に係る需要家装置では、候補情報取得部５０は、複数の候補をまとめて示す抑制内容情報を取得する。
【０３１１】
このような構成により、たとえば、選択しなかった候補を再度受信して選択することができないシステムにおいても、複数の候補を一度に取得して需要家にとって都合のよい電力消費の抑制内容を選択することができるので、需要家の節電への参加をより促進することができる。
【０３１２】
その他の構成および動作は第１の実施の形態に係る電力消費管理システムと同様であるため、ここでは詳細な説明を繰り返さない。
【０３１３】
次に、本発明の他の実施の形態について図面を用いて説明する。なお、図中同一または相当部分には同一符号を付してその説明は繰り返さない。
【０３１４】
＜第３の実施の形態＞
本実施の形態は、第１の実施の形態に係る電力消費管理システムと比べて複数の候補情報を需要家装置２０２へ１回で送信可能な電力消費管理システムに関する。以下で説明する内容以外は第１の実施の形態に係る電力消費管理システムと同様である。
【０３１５】
図２０は、本発明の第３の実施の形態に係る電力消費管理システムにおける電力消費管理装置の構成を示す図である。
【０３１６】
図２０を参照して、本発明の第３の実施の形態に係る電力消費管理システム３０３における電力消費管理装置１０１は、本発明の第１の実施の形態に係る電力消費管理装置と比べて、候補情報作成部３０および候補情報通知部３１の代わりに、候補情報作成部（抑制内容情報作成部）３４および候補情報通知部（抑制内容情報通知部）３６をそれぞれ備える。候補情報作成部３４の動作は、図１５に示す電力消費管理装置１０１における候補情報作成部３４と同様である。
【０３１７】
図２１は、本発明の第３の実施の形態に係る電力消費管理システムにおける需要家装置の構成を示す図である。
【０３１８】
図２１を参照して、需要家装置２０２は、本発明の第１の実施の形態に係る需要家装置と比べて、候補情報取得部４１の代わりに、候補情報取得部（抑制内容情報取得部）５１を備える。
【０３１９】
再び図２０を参照して、候補情報通知部３６は、複数の候補の一部を示す抑制内容情報を通知する。この場合、候補情報通知部３６は、候補情報作成部３４によって作成された１または複数の候補情報を通知する。より詳細には、候補情報通知部３６は、候補情報作成部３４から候補情報ＣＩＡ１１〜ＣＩＡ１３、ＣＩＢ１１〜ＣＩＢ１３およびＣＩＣ１１〜ＣＩＣ１３を受けると、受けた各候補情報を保持する。
【０３２０】
候補情報通知部３６は、たとえば、ＤＲ内容要求を需要家装置２０２Ａから受けると、保持している候補情報ＣＩＡ１１を需要家装置２０２Ａへ通知する。
【０３２１】
候補情報通知部３６は、たとえば、需要家装置２０２から応答情報を取得すると、取得した応答情報を画面情報作成部３７へ出力するとともに、当該応答情報に対応する候補とは異なる候補を少なくとも示す抑制内容情報を通知する。
【０３２２】
具体的には、候補情報通知部３６は、たとえば、候補情報ＣＩＡ１１に対応する応答情報を受けた後、ＤＲ内容要求を需要家装置２０２Ａから受けると、保持している候補情報ＣＩＡ１１，ＣＩＡ１２をまとめて需要家装置２０２Ａへ通知する。
【０３２３】
候補情報通知部３６は、たとえば、候補情報ＣＩＡ１１，ＣＩＡ１２に対応する応答情報を受けた後、ＤＲ内容要求を需要家装置２０２Ａから受けると、保持している候補情報ＣＩＡ１１，ＣＩＡ１２，ＣＩＡ１３をまとめて需要家装置２０２Ａへ通知する。
【０３２４】
また、候補情報通知部３６は、たとえば、ＤＲ内容要求を需要家装置２０２Ｂまたは２２０Ｃから受ける場合においても、ＤＲ内容要求を需要家装置２０２Ａから受ける場合と同様の処理を行う。
【０３２５】
再び図２１を参照して、以下、需要家装置２０２Ａにおける各構成要素および動作について説明するが、需要家装置２０２Ａ以外の需要家装置２０２における各構成要素および動作についても同様である。
【０３２６】
候補情報取得部５１は、複数の候補の一部を示す抑制内容情報を取得する。より詳細には、候補情報取得部５１は、たとえば、複数回に分けて通知された、抑制内容情報の示す複数の候補に対応する候補情報を取得する。たとえば、候補情報取得部５１は、まず、抑制内容情報に含まれる１つの候補情報を取得する。
【０３２７】
具体的には、候補情報取得部５０は、たとえば、ＤＲ内容要求を定期的に電力消費管理装置１０１へ通知し、当該ＤＲ内容要求の応答として候補情報ＣＩＡ１１を電力消費管理装置１０１から取得する。
【０３２８】
候補情報取得部４１は、たとえば、取得した候補情報ＣＩＡ１１を画面情報作成部４３、制御部４７および応答情報通知部４６へ出力する。
【０３２９】
効果情報取得部４２は、たとえば、効果情報の通知の要求を定期的に電力消費管理装置１０１へ通知し、当該要求の応答として効果情報ＥＩＡ１を電力消費管理装置１０１から取得する。
【０３３０】
効果情報取得部４２は、たとえば、取得した効果情報ＥＩＡ１を画面情報作成部４３へ出力する。
【０３３１】
画面情報作成部４３は、たとえば、候補情報取得部４１から受ける候補情報ＣＩＡ１１と効果情報取得部４２から受ける効果情報ＥＩＡ１とを含む候補画面情報を作成し、作成した候補画面情報を画面情報通知部４４へ出力する。
【０３３２】
画面情報通知部４４は、たとえば、画面情報作成部４３から候補画面情報を受けると、受けた候補画面情報を保持する。
【０３３３】
画面情報通知部４４は、たとえば、候補画面情報の通知の要求を端末装置１７１から受けると、保持している候補画面情報を要求元の端末装置１７１へ通知する。
【０３３４】
選択結果取得部４５は、たとえば、端末装置１７１から選択結果情報を取得すると、取得した選択結果情報を応答情報通知部４６へ出力する。
【０３３５】
応答情報通知部４６は、候補情報の示す一部の候補の選択結果を示す応答情報を通知する。より詳細には、応答情報通知部４６は、たとえば、候補１の節電に参加する旨を選択結果情報が示す場合、候補情報ＣＩＡ１１に対する参加を示す応答情報を作成する。
【０３３６】
応答情報通知部４６は、作成した応答情報を制御部４７および画面情報作成部４３へ出力するとともに、応答情報を電力消費管理装置１０１へ通知する。
【０３３７】
候補情報取得部５１は、応答情報が通知された後、当該応答情報に対応する候補とは異なる候補を少なくとも示す抑制内容情報を取得する。ここでは、候補情報取得部５１は、当該応答情報に対応する候補情報ＣＩＡ１１とは異なる候補情報を少なくとも取得する。
【０３３８】
具体的には、候補情報取得部５０は、たとえば、ＤＲ内容要求を定期的に電力消費管理装置１０１へ通知し、当該ＤＲ内容要求の応答として候補情報ＣＩＡ１１，ＣＩＡ１２を電力消費管理装置１０１から取得する。
【０３３９】
候補情報取得部４１は、たとえば、取得した候補情報ＣＩＡ１１，ＣＩＡ１２を画面情報作成部４３、制御部４７および応答情報通知部４６へ出力する。
【０３４０】
効果情報取得部４２は、たとえば、効果情報の通知の要求を定期的に電力消費管理装置１０１へ通知し、当該要求の応答として効果情報ＥＩＡ１，ＥＩＡ２を電力消費管理装置１０１から取得する。
【０３４１】
効果情報取得部４２は、たとえば、取得した効果情報ＥＩＡ１，ＥＩＡ２を画面情報作成部４３へ出力する。
【０３４２】
画面情報作成部４３は、たとえば、候補情報取得部４１から受ける候補情報ＣＩＡ１１，ＣＩＡ１２と効果情報取得部４２から受ける効果情報ＥＩＡ１，ＥＩＡ２とを含む候補画面情報を作成し、作成した候補画面情報を画面情報通知部４４へ出力する。
【０３４３】
画面情報通知部４４は、たとえば、画面情報作成部４３から候補画面情報を受けると、受けた候補画面情報を保持する。
【０３４４】
画面情報通知部４４は、たとえば、候補画面情報の通知の要求を端末装置１７１から受けると、保持している候補画面情報を要求元の端末装置１７１へ通知する。
【０３４５】
選択結果取得部４５は、たとえば、端末装置１７１から選択結果情報を取得すると、取得した選択結果情報を応答情報通知部４６へ出力する。
【０３４６】
応答情報通知部４６は、抑制内容情報の示す一部の候補の選択結果を示す応答情報を通知する。より詳細には、応答情報通知部４６は、たとえば、候補１の節電に参加する旨、および候補２の節電に参加しない旨を選択結果情報が示す場合、候補情報ＣＩＡ１１に対する参加、および候補情報ＣＩＡ１２に対する不参加を示す応答情報を作成する。
【０３４７】
応答情報通知部４６は、作成した応答情報を制御部４７および画面情報作成部４３へ出力するとともに、応答情報を電力消費管理装置１０１へ通知する。
【０３４８】
候補情報取得部５１は、応答情報が通知された後、当該応答情報に対応する候補とは異なる候補を少なくとも示す抑制内容情報を取得する。ここでは、候補情報取得部５１は、当該応答情報に対応する候補情報ＣＩＡ１１，ＣＩＡ１２とは異なる候補情報を少なくとも取得する。
【０３４９】
具体的には、候補情報取得部５０は、たとえば、ＤＲ内容要求を定期的に電力消費管理装置１０１へ通知し、当該ＤＲ内容要求の応答として候補情報ＣＩＡ１１，ＣＩＡ１２，ＣＩＡ１３を電力消費管理装置１０１から取得する。
【０３５０】
候補情報取得部４１は、たとえば、取得した候補情報ＣＩＡ１１，ＣＩＡ１２，ＣＩＡ１３を画面情報作成部４３、制御部４７および応答情報通知部４６へ出力する。
【０３５１】
効果情報取得部４２は、たとえば、効果情報の通知の要求を定期的に電力消費管理装置１０１へ通知し、当該要求の応答として効果情報ＥＩＡ１，ＥＩＡ２，ＥＩＡ３を電力消費管理装置１０１から取得する。
【０３５２】
効果情報取得部４２は、たとえば、取得した効果情報ＥＩＡ１，ＥＩＡ２，ＥＩＡ３を画面情報作成部４３へ出力する。
【０３５３】
画面情報作成部４３は、たとえば、候補情報取得部４１から受ける候補情報ＣＩＡ１１，ＣＩＡ１２，ＣＩＡ１３と効果情報取得部４２から受ける効果情報ＥＩＡ１，ＥＩＡ２，ＥＩＡ３とを含む候補画面情報を作成し、作成した候補画面情報を画面情報通知部４４へ出力する。
【０３５４】
画面情報通知部４４は、たとえば、画面情報作成部４３から候補画面情報を受けると、受けた候補画面情報を保持する。
【０３５５】
画面情報通知部４４は、たとえば、候補画面情報の通知の要求を端末装置１７１から受けると、保持している候補画面情報を要求元の端末装置１７１へ通知する。
【０３５６】
選択結果取得部４５は、たとえば、端末装置１７１から選択結果情報を取得すると、取得した選択結果情報を応答情報通知部４６へ出力する。
【０３５７】
応答情報通知部４６は、たとえば、候補１および候補３の節電に参加する旨、および候補２の節電に参加しない旨を選択結果情報が示す場合、候補情報ＣＩＡ１１，ＣＩＡ１３に対する参加、および候補情報ＣＩＡ１２に対する不参加を示す応答情報を作成する。
【０３５８】
応答情報通知部４６は、作成した応答情報を制御部４７および画面情報作成部４３へ出力するとともに、応答情報を電力消費管理装置１０１へ通知する。
【０３５９】
また、電力消費管理システム３０３は、需要家により入力された複数の候補についての選択結果の一部または全部を変更することが可能である。
【０３６０】
［動作（その３）］
図２２は、本発明の第３の実施の形態に係る電力消費管理システムにおける候補選択処理のシーケンスの一例を示す図である。
【０３６１】
図２２では、たとえば、電力消費管理装置１０１および需要家装置２０２Ａ間における候補選択処理の詳細が示されている。
【０３６２】
まず、電力消費管理装置１０１は、図４に示す候補ＣＡ１、ＣＡ２およびＣＡ３を用いて、図１７に示す候補情報ＣＩＡ１１、ＣＩＡ１２およびＣＩＡ１３をそれぞれ作成する（ステップＳ４０２）。
【０３６３】
次に、電力消費管理装置１０１は、図５に示す候補ごとの削減効果量を推定する（ステップＳ４０４）。
【０３６４】
次に、電力消費管理装置１０１は、候補ごとに推定した削減効果量に基づいて、図５に示す候補ごとの削減報奨金を推定する（ステップＳ４０６）。
【０３６５】
次に、需要家装置２０２Ａは、ＤＲ内容要求を電力消費管理装置１０１へ送信する（ステップＳ４０８）。
【０３６６】
次に、電力消費管理装置１０１は、需要家装置２０２ＡからＤＲ内容要求を受信すると、受信したＤＲ内容要求の応答としてたとえば候補情報ＣＩＡ１１を需要家装置２０２Ａへ送信する（ステップＳ４１０）。
【０３６７】
次に、需要家装置２０２Ａは、電力消費管理装置１０１から候補情報ＣＩＡ１１を受信すると、たとえば候補情報ＣＩＡ１１に対する参加を示す応答情報を電力消費管理装置１０１へ送信する（ステップＳ４１２）。
【０３６８】
次に、需要家装置２０２Ａは、ＤＲ内容要求を電力消費管理装置１０１へ送信する（ステップＳ４１４）。
【０３６９】
次に、電力消費管理装置１０１は、需要家装置２０２ＡからＤＲ内容要求を受信すると、受信したＤＲ内容要求の応答としてたとえば候補情報ＣＩＡ１１，ＣＩＡ１２を需要家装置２０２Ａへ送信する（ステップＳ４１６）。
【０３７０】
次に、需要家装置２０２Ａは、電力消費管理装置１０１から候補情報ＣＩＡ１１，ＣＩＡ１２を受信すると、たとえば候補情報ＣＩＡ１１に対する参加、および候補情報ＣＩＡ１２に対する不参加を示す応答情報を電力消費管理装置１０１へ送信する（ステップＳ４１８）。
【０３７１】
次に、需要家装置２０２Ａは、ＤＲ内容要求を電力消費管理装置１０１へ送信する（ステップＳ４２０）。
【０３７２】
次に、電力消費管理装置１０１は、需要家装置２０２ＡからＤＲ内容要求を受信すると、受信したＤＲ内容要求の応答としてたとえば候補情報ＣＩＡ１１，ＣＩＡ１２，ＣＩＡ１３を需要家装置２０２Ａへ送信する（ステップＳ４２２）。
【０３７３】
次に、需要家装置２０２Ａは、電力消費管理装置１０１から候補情報ＣＩＡ１１，ＣＩＡ１２，ＣＩＡ１３を受信すると、たとえば候補情報ＣＩＡ１１，ＣＩＡ１３に対する参加、および候補情報ＣＩＡ１２に対する不参加を示す応答情報を電力消費管理装置１０１へ送信する（ステップＳ４２４）。
【０３７４】
図２２に示す候補選択処理の例では、ステップＳ４１０、Ｓ４１６およびＳ４２２の動作によって電力消費の抑制内容の複数の候補を示す抑制内容情報が需要家装置２０２へ送信されている。
【０３７５】
なお、需要家装置２０２Ａは、上記ステップＳ４１８において、候補情報ＣＩＡ１１に対する参加、および候補情報ＣＩＡ１２に対する不参加を示す応答情報を電力消費管理装置１０１へ送信する構成であるとしたが、これに限定するものではない。需要家装置２０２Ａは、上記ステップＳ４１８において、候補情報ＣＩＡ１１に対する参加を示す旨を含まない応答情報を電力消費管理装置１０１へ送信する構成であってもよい。
【０３７６】
また、需要家装置２０２Ａは、上記ステップＳ４２４において候補情報ＣＩＡ１１，ＣＩＡ１３に対する参加、および候補情報ＣＩＡ１２に対する不参加を示す応答情報を電力消費管理装置１０１へ送信する構成であるとしたが、これに限定するものではない。需要家装置２０２Ａは、上記ステップＳ４２４において、候補情報ＣＩＡ１１，ＣＩＡ１３に対する参加を示す旨を含まない応答情報を電力消費管理装置１０１へ送信する構成であってもよい。
【０３７７】
以上のように、本発明の第３の実施の形態に係る需要家装置では、候補情報取得部５１は、複数の候補の一部を示す抑制内容情報を取得する。応答情報通知部４６は、抑制内容情報の示す一部の候補の選択結果を示す応答情報を通知する。そして、候補情報取得部５１は、応答情報が通知された後、当該応答情報に対応する候補とは異なる候補を少なくとも示す抑制内容情報を取得する。
【０３７８】
このような構成により、前回取得された候補に新たな候補を加えた情報を取得することができるため、たとえば、選択しなかった候補を再度受信して選択することができないシステムにおいても、新たな候補を含む複数の候補を取得して需要家にとって都合のよい電力消費の抑制内容を選択することができる。これにより、需要家の節電への参加をより促進することができる。
【０３７９】
その他の構成および動作は第１の実施の形態に係る電力消費管理システムと同様であるため、ここでは詳細な説明を繰り返さない。
【０３８０】
なお、本発明の第１の実施の形態〜第３の実施の形態に係る各装置の構成要素および動作のうち、一部または全部を適宜組み合わせることも可能である。
【０３８１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０３８２】
以上の説明は、以下に付記する特徴を含む。
【０３８３】
［付記１］
電力需要施設において用いられる需要家装置であって、
前記電力需要施設における電力消費の抑制内容の複数の候補を示す抑制内容情報を取得する抑制内容情報取得部と、
前記抑制内容情報取得部によって取得された前記抑制内容情報の示す複数の候補の選択結果を示す応答情報を通知する応答情報通知部とを備え
前記電力需要施設は、ビル、工場または一般家庭であり、
前記需要家装置は、計測装置および制御装置の機能を有し、
前記電力消費の抑制内容は、空調装置の設定温度の変更、前記空調装置のオフ、および照明のオフの少なくともいずれか１つを含み、
前記抑制内容情報は、複数の前記候補をそれぞれ示す複数の候補情報を含み、
前記抑制内容情報取得部は、複数の前記候補情報を、１回で取得するか、または複数回に分けて取得し、
前記応答情報は、前記需要家装置が前記電力消費の抑制内容の節電に参加するか否かを示し、
前記応答情報通知部は、前記抑制内容情報取得部による前記候補情報の取得に応答して前記応答情報を通知する、需要家装置。
【０３８４】
［付記２］
電力需要施設における電力消費を管理する電力消費管理装置であって、
前記電力需要施設における電力消費の抑制内容の複数の候補を示す抑制内容情報を作成する抑制内容情報作成部と、
前記抑制内容情報作成部によって作成された前記抑制内容情報を通知する抑制内容情報通知部とを備え、
前記電力需要施設は、ビル、工場または一般家庭であり、
前記電力消費管理装置は、ＤＲＡＳ（Ｄｅｍａｎｄ  Ｒｅｓｐｏｎｓｅ  Ａｕｔｏｍａｔｉｏｎ  Ｓｅｒｖｅｒ）であり、
前記電力消費の抑制内容は、空調装置の設定温度の変更、前記空調装置のオフ、および照明のオフの少なくともいずれか１つを含み、
前記抑制内容情報は、複数の前記候補をそれぞれ示す複数の候補情報を含み、
前記抑制内容情報通知部は、複数の前記候補情報を、１回で通知するか、または複数回に分けて通知する、電力消費管理装置。
【０３８５】
［付記３］
電力需要施設における電力消費を管理する電力消費管理装置と、
前記電力需要施設において用いられる需要家装置とを備え、
前記電力消費管理装置は、前記電力需要施設における電力消費の抑制内容の複数の候補を示す抑制内容情報を前記需要家装置へ送信し、
前記需要家装置は、前記抑制内容情報を前記電力消費管理装置から受信し、受信した前記抑制内容情報の示す複数の候補の選択結果を示す応答情報を前記電力消費管理装置へ送信し、
前記電力需要施設は、ビル、工場または一般家庭であり、
前記電力消費管理装置は、ＤＲＡＳ（Ｄｅｍａｎｄ  Ｒｅｓｐｏｎｓｅ  Ａｕｔｏｍａｔｉｏｎ  Ｓｅｒｖｅｒ）であり、
前記需要家装置は、計測装置および制御装置の機能を有し、
前記電力消費の抑制内容は、空調装置の設定温度の変更、前記空調装置のオフ、および照明のオフの少なくともいずれか１つを含み、
前記抑制内容情報は、複数の前記候補をそれぞれ示す複数の候補情報を含み、
前記電力消費管理装置は、複数の前記候補情報を、１回で送信するか、または複数回に分けて送信し、
前記応答情報は、前記需要家装置が前記電力消費の抑制内容の節電に参加するか否かを示し、
前記需要家装置は、前記電力消費管理装置からの前記候補情報の受信に応答して前記応答情報を送信する、電力消費管理システム。
【符号の説明】
【０３８６】
２２  電力管理情報取得部
２３  最適化条件設定部
２４  最適化部
２５  削減報奨金推定部
２６  削減効果量推定部
２８  効果情報作成部
２９  効果情報通知部
３０，３４  候補情報作成部（抑制内容情報作成部）
３１，３５，３６  候補情報通知部（抑制内容情報通知部）
３２  節電結果取得部
３３  削減報奨金確定部
３７  画面情報作成部
３８  画面情報通知
４１，５０，５１  候補情報取得部（抑制内容情報取得部）
４２  効果情報取得部
４３  画面情報作成部
４４  画面情報通知部
４５  選択結果取得部
４６  応答情報通知部
４７  制御部
４８  抑制量取得部
４９  節電結果通知部
６１  画面情報取得部
６２  表示制御部
６３  表示部
６４  選択受け付け部
６５  選択結果通知部
１０１  電力消費管理装置
１５１  系統側管理装置
１６１，１６２  データベース
１７１  端末装置
１８１  電力メータ
１８２  電流センサ
１８３  センサ
２０２  需要家装置
２０５  負荷
３０１，３０２，３０３  電力消費管理システム
【図１】
0006405996.tif 000002
【図２】
0006405996.tif 000003
【図３】
0006405996.tif 000004
【図４】
0006405996.tif 000005
【図５】
0006405996.tif 000006
【図６】
0006405996.tif 000007
【図７】
0006405996.tif 000008
【図８】
0006405996.tif 000009
【図９】
0006405996.tif 000010
【図１０】
0006405996.tif 000011
【図１１】
0006405996.tif 000012
【図１２】
0006405996.tif 000013
【図１３】
0006405996.tif 000014
【図１４】
0006405996.tif 000015
【図１５】
0006405996.tif 000016
【図１６】
0006405996.tif 000017
【図１７】
0006405996.tif 000018
【図１８】
0006405996.tif 000019
【図１９】
0006405996.tif 000020
【図２０】
0006405996.tif 000021
【図２１】
0006405996.tif 000022
【図２２】
0006405996.tif 000023